(57)【要約】【課題】表示パネルや回路の構成を複雑化させることなく白表示（カラー表示）と黒表示と透明表示とを同一画面内で同時に行える表示装置を提供する。【解決手段】各フレーム期間が第１から第４透明サブフレーム期間Ｔｔ１〜Ｔｔ４と青、緑、白、青のサブフレーム期間Ｔｂ，Ｔｇ，Ｔｗ，Ｔｒとからなるフィールドシーケンシャル方式の液晶表示装置において、透明サブフレーム期間Ｔｔ１〜Ｔｔ４では光源２７ｒ，２７ｇ，２７ｂが消灯状態であり、青、緑、赤のサブフレーム期間Ｔｂ，Ｔｇ，Ｔｒの後半で青色、緑色、赤色光源２７ｂ，２７ｇ，２７ｒがそれぞれ点灯状態であり、白のサブフレームの後半で光源２７ｒ，２７ｇ，２７ｂが全て点灯状態であるようにバックライトが駆動される、このようなフレーム期間の構成に応じた駆動用画像データが入力画像データから生成され、この駆動用画像データに基づき液晶パネルが駆動される。【選択図】図８
2019082549.tif 000002
【特許請求の範囲】
【請求項１】
複数のサブフレーム期間が各フレーム期間に含まれるフィールドシーケンシャル方式の画像表示装置であって、
光源部と、
前記光源部からの光を透過させる表示パネルとしての光変調部と、
前記光源部を駆動する光源部駆動回路と、
前記光変調部における透過率を制御する光変調部駆動回路と、
入力画像データを受け取り、当該入力画像データから前記複数のサブフレーム期間に対応する駆動用画像データを生成する画像データ変換部とを備え、
各フレーム期間は、少なくとも１つの透明サブフレーム期間と少なくとも１つの表示色サブフレーム期間とを含み、
前記光源部は、主面から光を発して前記光変調部の背面に照射する面状照明装置であって、消灯状態のときに前記主面から入射する光を透過させる透明状態であり、
前記光源部駆動回路は、前記光源部が前記透明サブフレーム期間では消灯状態であり前記表示色サブフレーム期間において点灯状態となるように前記光源部を駆動し、
前記画像データ変換部は、前記入力画像データに基づき、前記光変調部のうち透明表示を行うべき領域における光の透過率を前記透明サブフレーム期間の少なくとも１つで最大とし、前記光変調部のうち黒表示を行うべき領域における光の透過率を前記透明サブフレーム期間および前記表示色サブフレーム期間で最小とし、前記光変調部のうち白またはカラーの画像を表示すべき領域における光の透過率を前記表示色サブフレーム期間において当該画像に応じた値とするための透過率制御データを、前記駆動用画像データとして生成し、
前記光変調部駆動回路は、前記駆動用画像データに基づき前記光変調部を駆動することにより前記光変調部における透過率を制御する、画像表示装置。
【請求項２】
各フレーム期間は複数の透明サブフレーム期間を含み、当該複数のサブフレーム期間は互いに隣接して配置されている、請求項１に記載の画像表示装置。
【請求項３】
前記光源部は、
複数の原色でそれぞれ発光する複数の光源と、
前記複数の光源からの光を側面で受光して主面から前記光変調部の背面に照射する導光板とを含み、
前記導光板は、前記複数の光源が消灯状態のときに透明状態である、請求項１に記載の画像表示装置。
【請求項４】
各サブフレーム期間は、カラー画像表示のための複数の原色にそれぞれ対応する複数の原色サブフレーム期間を前記表示色サブフレーム期間として含み、
前記光源部は、前記複数の原色でそれぞれ発光する複数の光源を含み、
前記光源部駆動回路は、各表示色サブフレーム期間において対応する色で発光するように前記光源部を駆動し、
前記画像データ変換部は、前記入力画像データに基づき、各原色サブフレーム期間で対応する色の画像を前記光変調部に表示させるための透過率制御データを、前記駆動用画像データとして生成する、請求項１に記載の画像表示装置。
【請求項５】
前記複数の原色は青色を含み、
前記光源部駆動回路は、各フレーム期間において青色に対応する原色サブフレーム期間が前記透明サブフレーム期間の直後に現れるように前記光源部を駆動する、請求項４に記載の画像表示装置。
【請求項６】
各フレーム期間は、前記複数の原色サブフレーム期間と共通色サブフレーム期間とからなる複数のサブフレーム期間を前記表示色サブフレーム期間として含み、
前記光源部駆動回路は、各原色サブフレーム期間において対応する色の光源のみが発光し、前記共通色サブフレーム期間において前記複数の光源のうち２以上の色の光源が発光するように前記光源部を駆動する、請求項４に記載の画像表示装置。
【請求項７】
前記複数の原色は、カラー画像表示のための３原色であり、
前記光源部駆動回路は、各フレーム期間において前記３原色に対応する３つの原色サブフレーム期間のみが前記表示色サブフレーム期間として含まれるように前記光源部を駆動する、請求項４に記載の画像表示装置。
【請求項８】
前記光源部駆動回路は、前記入力画像データの表す画像が単色画像であって当該単色画像の色が前記複数の原色サブフレーム期間のいずれか１つに対応する色である場合に、前記光源部が各フレーム期間における当該いずれか１つの原色サブフレーム期間以外のサブフレーム期間において消灯状態であって当該いずれか１つの原色サブフレーム期間において点灯状態となるように前記光源部を駆動し、
前記画像データ変換部は、前記入力画像データの表す画像が単色画像であって当該単色画像の色が前記複数の原色サブフレーム期間のいずれか１つに対応する色である場合に、各フレームにおける当該いずれか１つの原色サブフレーム期間以外のサブフレーム期間において、前記光変調部のうち透明表示を行うべき領域の透過率が最大となるように、前記入力画像データから前記駆動用画像データを生成する、請求項４に記載の画像表示装置。
【請求項９】
前記光変調部の背面に向かう外部からの光である背景光の強度を検出する光検出器を更に備え、
前記画像データ変換部は、前記光検出器により検出される背景光の強度に基づき、前記透明サブフレーム期間の少なくとも１つで、前記光変調部のうち前記複数の原色に基づく任意の色の画像を表示すべき領域の透過率が前記背景光の強度が大きくなるほど大きくなるように、前記入力画像データから前記駆動用画像データを生成する、請求項４に記載の画像表示装置。
【請求項１０】
前記画像データ変換部は、前記透明サブフレーム期間の直後の原色サブフレーム期間に対応する色の画素が入力画像データの表す画像に含まれる場合に、前記透明サブフレーム期間において前記光変調部のうち当該対応する色の画像を表示すべき領域の透過率が前記背景光の強度が大きくなるほど大きくなるように、前記駆動用画像データを生成する、請求項９に記載の画像表示装置。
【請求項１１】
前記画像データ変換部は、前記透明サブフレーム期間の直前の原色サブフレーム期間に対応する色の画素が入力画像データの表す画像に含まれる場合に、前記透明サブフレーム期間において前記光変調部のうち当該対応する色の画像を表示すべき領域の透過率が前記背景光の強度が大きくなるほど大きくなるように、前記駆動用画像データを生成する、請求項９に記載の画像表示装置。
【請求項１２】
前記光変調部の背面に向かう外部からの光である背景光の強度を検出する光検出器を更に備え、
前記光源部駆動回路は、前記入力画像データの表す画像が単色画像であって当該単色画像の色が前記複数の原色サブフレーム期間のいずれか１つに対応する色である場合に、前記光源部が各フレーム期間における当該いずれか１つの原色サブフレーム期間以外のサブフレーム期間において消灯状態であって当該いずれか１つの原色サブフレーム期間において点灯状態となるように前記光源部を駆動し、
前記画像データ変換部は、前記入力画像データの表す画像が単色画像であって当該単色画像の色が前記複数の原色サブフレーム期間のいずれか１つに対応する色である場合に、各フレームにおける前記いずれか１つの原色サブフレーム期間以外のサブフレーム期間の少なくとも１つで、前記光変調部のうち前記対応する色の画像を表示すべき領域の透過率が前記背景光の強度が大きくなるほど大きくなるように、前記入力画像データから前記駆動用画像データを生成する、請求項４に記載の画像表示装置。
【請求項１３】
光源部と、前記光源部からの光を透過させる表示パネルとしての光変調部とを備える画像表示装置において、複数のサブフレーム期間が各フレーム期間に含まれるフィールドシーケンシャル方式により画像を表示する画像表示方法であって、
前記光源部を駆動する光源部駆動ステップと、
前記光変調部における透過率を制御する光変調部駆動ステップと、
入力画像データを受け取り、当該入力画像データから前記複数のサブフレーム期間に対応する駆動用画像データを生成する画像データ変換ステップとを備え、
各フレーム期間は、少なくとも１つの透明サブフレーム期間と少なくとも１つの表示色サブフレーム期間とを含み、
前記光源部は、主面から光を発して前記光変調部の背面に照射する面状照明装置であって、消灯状態のときに前記主面から入射する光を透過させる透明状態であり、
前記光源部駆動ステップでは、前記光源部が前記透明サブフレーム期間では消灯状態であり前記表示色サブフレーム期間において点灯状態となるように前記光源部が駆動され、
前記画像データ変換ステップでは、前記入力画像データに基づき、前記光変調部のうち透明表示を行うべき領域における光の透過率を前記透明サブフレーム期間の少なくとも１つで最大とし、前記光変調部のうち黒表示を行うべき領域における光の透過率を前記透明サブフレーム期間および前記表示色サブフレーム期間で最小とし、前記光変調部のうち白またはカラーの画像を表示すべき領域における光の透過率を前記表示色サブフレーム期間において当該画像に応じた値とするための透過率制御データが、前記駆動用画像データとして生成され、
前記光変調部駆動ステップでは、前記駆動用画像データに基づき前記光変調部を駆動することにより前記光変調部における透過率が制御される、画像表示方法。
【請求項１４】
各サブフレーム期間は、カラー画像表示のための複数の原色にそれぞれ対応する複数の原色サブフレーム期間を前記表示色サブフレーム期間として含み、
前記光源部は、前記複数の原色でそれぞれ発光する複数の光源を含み、
前記光源部駆動ステップでは、各表示色サブフレーム期間において対応する色で発光するように前記光源部が駆動され、
前記画像データ変換ステップでは、前記入力画像データに基づき、各原色サブフレーム期間で対応する色の画像を前記光変調部に表示させるための透過率制御データが、前記駆動用画像データとして生成される、請求項１３に記載の画像表示方法。
【請求項１５】
前記画像表示装置は、前記光変調部の背面に向かう外部からの光である背景光の強度を検出する光検出器を更に備え、
前記画像データ変換ステップでは、前記光検出器により検出される背景光の強度に基づき、前記透明サブフレーム期間の少なくとも１つで、前記光変調部のうち前記複数の原色に基づく任意の色のカラー画像を表示すべき領域の透過率が前記背景光の強度が大きくなるほど大きくなるように、前記入力画像データから前記駆動用画像データが生成される、請求項１４に記載の画像表示方法。
【請求項１６】
前記画像データ変換ステップでは、前記透明サブフレーム期間の直後の原色サブフレーム期間に対応する色の画素が入力画像データの表す画像に含まれる場合に、前記透明サブフレーム期間において前記光変調部のうち当該対応する色の画像を表示すべき領域の透過率が前記背景光の強度が大きくなるほど大きくなるように、前記駆動用画像データが生成される、請求項１５に記載の画像表示方法。
【請求項１７】
前記画像データ変換ステップでは、前記透明サブフレーム期間の直前の原色サブフレーム期間に対応する色の画素が入力画像データの表す画像に含まれる場合に、前記透明サブフレーム期間において前記光変調部のうち当該対応する色の画像を表示すべき領域の透過率が前記背景光の強度が大きくなるほど大きくなるように、前記駆動用画像データが生成される、請求項１５に記載の画像表示方法。
【発明の詳細な説明】
【技術分野】
【０００１】
本発明は、透明表示が可能なフィールドシーケンシャル方式の画像表示装置および画像表示方法に関する。
【背景技術】
【０００２】
従来から、１フレーム期間に複数のサブフレームを表示するフィールドシーケンシャル方式の画像表示装置が知られている。例えば、典型的なフィールドシーケンシャル方式の画像表示装置は、赤、緑、および、青の光源を含むバックライトを備え、１フレーム期間に赤、緑、および、青のサブフレームを表示する。赤サブフレームを表示するときには、表示パネルは赤画像データに基づき駆動され、赤色光源が発光する。続いて、緑サブフレームと青サブフレームが同様の方法で表示される。時分割で表示された３枚のサブフレームは、観測者の網膜上で残像現象によって合成され、観測者には１枚のカラー画像として認識される。
【０００３】
上記のようなフィールドシーケンシャル方式の表示装置では、カラーフィルターを使用することなくカラー画像を表示することができ、また、カラーフィルターが不要であることから透明表示も可能となる。
【０００４】
また、フィールドシーケンシャル方式の画像表示装置では、観測者の視線が表示画面内を移動したときに、観測者に各サブフレームの色が分離して見えることがある（この現象は、「色割れ」と呼ばれる）。そこで、色割れを抑制するために、赤、緑、および、青のサブフレームに加えて、白のサブフレームを表示する画像表示装置が知られている。
【０００５】
本願で開示される表示装置に関連して、特許文献１には、両面発光型の発光素子を有する第１の表示部と、光散乱性の液晶層を有する第２の表示部と、第１の表示部と第２の表示部との間にシャッター状の遮光手段とが設けられた、シースルー機能を有する表示装置が記載されている。第１の表示部は少なくとも両面発光型の発光素子が非発光状態の場合に透光性を有し、第２の表示部は少なくとも光散乱性の液晶層が透過状態の場合に透光性を有する（段落［００３３］）。この表示装置では、第１の表示部と第２の表示部と遮光手段の状態を個々に切り換えることにより、第１の表示部から視認できる表示モードとして、第１の表示部の背景が黒表示のモードと、第１の表示部の背景が白表示のモードと、第１の表示部の背景がシースルー表示のモードとを実現することができる（段落［００３２］、［００７０］〜［００８３］）。
【先行技術文献】
【特許文献】
【０００６】
【特許文献１】特開２０１２−１５５３２０号公報
【発明の概要】
【発明が解決しようとする課題】
【０００７】
液晶表示装置のように表示パネルの背面に光（以下「背面光」という）を照射するための導光板が設けられた従来のフィールドシーケンシャル方式の表示装置では、白表示と黒表示と透明表示を同一画面内で同時に行うことはできなかった。この従来の表示装置では、背面光の光源を非点灯状態としなければ、導光板を通して表示パネルの背景を視認することができないからである。なお、ここでの「白表示」とは白色画像の表示のみならずカラー画像の表示も含むものとする。
【０００８】
これに対し特許文献１に記載の表示装置では、上記のように、第１の表示部から視認できる表示モードとして白表示のモードと黒表示のモードとシースルー表示（透明表示）のモードとを実現することができる。また、これらの３つの表示モードを画素毎に使い分ける構成とすることも可能である（段落［００８４］）。この構成の表示装置（以下「従来例」という）によれば、白表示と黒表示と透明表示とを同一画面内で同時に行うことができる。
【０００９】
しかしこの従来例では、上記フィールドシーケンシャル方式の表示装置における表示パネル（液晶パネル）に相当する部分が、実質的に複数枚のパネル（第１の表示部、第２の表示部、遮光手段）から構成されることになり、これがコストの増大を招く。またこの従来例では、多数の画素を有する複数のパネルを重ね合わせることになるので、モアレが発生しやすい。さらにこの従来例では、それら複数のパネルを同期させて駆動する必要があり、これが当該表示装置における駆動回路や制御回路の複雑化を招く。
【００１０】
そこで、表示パネルや回路の構成を複雑化させることなく白表示と黒表示と透明表示とを同一画面内で同時に行える表示装置を提供することが望まれている。
【課題を解決するための手段】
【００１１】
本発明のいくつかの実施形態は、複数のサブフレーム期間が各フレーム期間に含まれるフィールドシーケンシャル方式の画像表示装置であって、
光源部と、
前記光源部からの光を透過させる表示パネルとしての光変調部と、
前記光源部を駆動する光源部駆動回路と、
前記光変調部における透過率を制御する光変調部駆動回路と、
入力画像データを受け取り、当該入力画像データから前記複数のサブフレーム期間に対応する駆動用画像データを生成する画像データ変換部とを備え、
各フレーム期間は、少なくとも１つの透明サブフレーム期間と少なくとも１つの表示色サブフレーム期間とを含み、
前記光源部は、主面から光を発して前記光変調部の背面に照射する面状照明装置であって、消灯状態のときに前記主面から入射する光を透過させる透明状態であり、
前記光源部駆動回路は、前記光源部が前記透明サブフレーム期間では消灯状態であり前記表示色サブフレーム期間において点灯状態となるように前記光源部を駆動し、
前記画像データ変換部は、前記入力画像データに基づき、前記光変調部のうち透明表示を行うべき領域における光の透過率を前記透明サブフレーム期間の少なくとも１つで最大とし、前記光変調部のうち黒表示を行うべき領域における光の透過率を前記透明サブフレーム期間および前記表示色サブフレーム期間で最小とし、前記光変調部のうち白またはカラーの画像を表示すべき領域における光の透過率を前記表示色サブフレーム期間において当該画像に応じた値とするための透過率制御データを、前記駆動用画像データとして生成し、
前記光変調部駆動回路は、前記駆動用画像データに基づき前記光変調部を駆動することにより前記光変調部における透過率を制御する。
【００１２】
本発明の他のいくつかの実施形態は、光源部と、前記光源部からの光を透過させる表示パネルとしての光変調部とを備える画像表示装置において、複数のサブフレーム期間が各フレーム期間に含まれるフィールドシーケンシャル方式により画像を表示する画像表示方法であって、
前記光源部を駆動する光源部駆動ステップと、
前記光変調部における透過率を制御する光変調部駆動ステップと、
入力画像データを受け取り、当該入力画像データから前記複数のサブフレーム期間に対応する駆動用画像データを生成する画像データ変換ステップとを備え、
各フレーム期間は、少なくとも１つの透明サブフレーム期間と少なくとも１つの表示色サブフレーム期間とを含み、
前記光源部は、主面から光を発して前記光変調部の背面に照射する面状照明装置であって、消灯状態のときに前記主面から入射する光を透過させる透明状態であり、
前記光源部駆動ステップでは、前記光源部が前記透明サブフレーム期間では消灯状態であり前記表示色サブフレーム期間において点灯状態となるように前記光源部が駆動され、
前記画像データ変換ステップでは、前記入力画像データに基づき、前記光変調部のうち透明表示を行うべき領域における光の透過率を前記透明サブフレーム期間の少なくとも１つで最大とし、前記光変調部のうち黒表示を行うべき領域における光の透過率を前記透明サブフレーム期間および前記表示色サブフレーム期間で最小とし、前記光変調部のうち白またはカラーの画像を表示すべき領域における光の透過率を前記表示色サブフレーム期間において当該画像に応じた値とするための透過率制御データが、前記駆動用画像データとして生成され、
前記光変調部駆動ステップでは、前記駆動用画像データに基づき前記光変調部を駆動することにより前記光変調部における透過率が制御される。
【発明の効果】
【００１３】
本発明の上記いくつかの実施形態によれば、各フレーム期間は、少なくとも１つの透明サブフレーム期間と少なくとも１つの表示色サブフレーム期間とを含み、面状照明装置としての光源部は、透明サブフレーム期間では消灯状態であって主面からの光を透過する透明状態であり、表示色サブフレーム期間では点灯状態である。また入力画像データに基づき、光変調部のうち透明表示を行うべき領域における光の透過率を透明サブフレーム期間の少なくとも１つで最大とし、光変調部のうち黒表示を行うべき領域における光の透過率を透明サブフレーム期間および表示色サブフレーム期間で最小とし、光変調部のうち白またはカラーの画像を表示すべき領域における光の透過率を表示色サブフレーム期間において当該画像に応じた値とするための透率制御データが、駆動用画像データとして生成される。表示パネルとしての光変調部は、この駆動用画像データに基づき駆動される。このような光源部および光変調部の駆動により、複数のパネルを重ねることによるモアレの発生やコストの増大を回避しつつ白表示と黒表示と透明表示とを同一画面内で同時に行うことができる。
【図面の簡単な説明】
【００１４】
【図１】第１の実施形態に係る画像表示装置の構成を示すブロック図である。
【図２】上記第１の実施形態におけるバックライトの構成例を模式的に示す斜視図でる。
【図３】上記第１の実施形態におけるバックライト駆動回路の構成を示すブロック図である。
【図４】従来の画像表示装置におけるバックライトの動作を説明するためのタイミングチャートである。
【図５】上記第１の実施形態におけるバックライトの動作を説明するためのタイミングチャートである。
【図６】上記従来の画像表示装置の動作を説明するためのタイミングチャートおよび波形図（Ａ〜Ｇ）である。
【図７】上記従来の画像表示装置による表示例を示す模式図（Ａ，Ｂ）である。
【図８】上記第１の実施形態に係る画像表示装置のバックライトを点灯させる場合の表示動作を説明するためのタイミングチャートおよび波形図（Ａ〜Ｇ）である。
【図９】上記第１の実施形態に係る画像表示装置による表示例を示す模式図（Ａ，Ｂ）である。
【図１０】上記第１の実施形態に係る画像表示装置のバックライトを点灯させない場合の表示動作を説明するためのタイミングチャートおよび波形図（Ａ〜Ｇ）である。
【図１１】上記第１の実施形態の第１の変形例に係る画像表示装置の表示動作を説明するためのタイミングチャートおよび波形図（Ａ〜Ｇ）である。
【図１２】上記第１の実施形態の上記第１の変形例に係る画像表示装置による表示例を示す模式図（Ａ，Ｂ）である。
【図１３】上記第１の実施形態の第２の変形例に係る画像表示装置の表示動作を説明するためのタイミングチャートおよび波形図（Ａ〜Ｇ）である。
【図１４】上記第１の実施形態の上記第２の変形例に係る画像表示装置による表示例を示す模式図（Ａ，Ｂ）である。
【図１５】上記第１の実施形態の第３の変形例に係る画像表示装置の表示動作を説明するためのタイミングチャートおよび波形図（Ａ〜Ｇ）である。
【図１６】上記第１の実施形態の上記第３の変形例に係る画像表示装置による表示例を示す模式図（Ａ，Ｂ）である。
【図１７】第２の実施形態に係る画像表示装置の構成を示すブロック図である。
【図１８】従来の画像表示装置における問題を説明するための図（Ａ，Ｂ）である
【図１９】上記従来の画像表示装置における問題の解決方法を説明するための図である。
【図２０】上記第２の実施形態に係る画像表示装置の表示動作を説明するためのタイミングチャートおよび波形図（Ａ〜Ｇ）である。
【図２１】上記第２の実施形態に係る画像表示装置による表示例を示す模式図（Ａ，Ｂ）である。
【図２２】上記第２の実施形態の第２の変形例に係る画像表示装置の表示動作を説明するためのタイミングチャートおよび波形図（Ａ〜Ｇ）である。
【図２３】上記第２の実施形態の上記変形例に係る画像表示装置による表示例を示す模式図（Ａ，Ｂ）である。
【発明を実施するための形態】
【００１５】
以下、図面を参照して各実施形態に係る画像表示装置について説明する。なお以下では、１フレーム期間とは、１画面分のリフレッシュ（表示画像の書換）のための期間であり、「１フレーム期間」の長さは、リフレッシュレートが６０Ｈｚである一般的な表示装置における１フレーム期間の長さ（１６．６７ｍｓ）であるものとするが、本発明はこれに限定されない。なお、以下の説明に含まれる「演算」には、「演算器を用いて演算結果を求める」ことに加えて、「演算結果を予めテーブルに記憶しておき、テーブルを引くことにより演算結果を求める」ことが含まれることを予め指摘しておく。
【００１６】
＜１．第１の実施形態＞
＜１．１  全体構成＞
図１は、第１の実施形態に係る画像表示装置の構成を示すブロック図である。図１に示す画像表示装置１は、画像データ変換部１０と表示部２０を備えている。画像データ変換部１０は、パラメータ記憶部１１および駆動用画像データ演算部３３を含んでいる。表示部２０は、光変調部としての液晶パネル２４と、赤色光源２７ｒ、緑色光源２７ｇ、および青色光源２７ｂ、ならびに導光板を含む光源部としてのバックライト２５と、タイミング制御回路２１と、光変調部駆動回路としてのパネル駆動回路２２と、光源部駆動回路としてのバックライト駆動回路２３とを含んでいる。
【００１７】
画像表示装置１は、フィールドシーケンシャル方式の液晶表示装置である。画像表示装置１は、１フレーム期間を複数のサブフレーム期間に分割し、各サブフレーム期間において異なる色のサブフレームを表示する。従来のフィールドシーケンシャル方式の画像表示装置（以下、単に「従来の画像表示装置」という）では、例えば図４に示すように、１フレーム期間が４個のサブフレーム期間に分割され、第１〜第４サブフレーム期間では緑、赤、白、および青のサブフレームがそれぞれ表示される。この従来の画像表示装置では、白サブフレームが共通色サブフレームとなる。なお、この従来の画像表示装置および本実施形態に係る画像表示装置１のいずれにおいても、各サブフレームにおける「色」とは光源色を指しており、画像表示装置１の表示部２０は、バックライト２５を駆動するための光源駆動用データとして赤、緑、青につきいずれも“１”（最大値）が与えられた場合に所望の色温度である「白色」を表示できるように構成されているものとする（後述の他の実施形態においても同様）。
【００１８】
本実施形態に係る画像表示装置１は、１フレーム期間を複数のサブフレーム期間に分割し、各サブフレーム期間において、点灯状態の光源により決まる色のサブフレーム（以下「表示色サブフレーム」という）および背景が透けて見えるサブフレーム（以下「透明サブフレーム」という）のうちいずれかのサブフレームを表示する。なお、透明サブフレームを表示する期間では、各光源２７ｒ，２７ｇ，２７ｂは消灯状態であり、後述の導光板は透明状態となっている。本実施形態では、１フレーム期間Ｔｆｒには８個のサブフレーム期間Ｔｓ１〜Ｔｓ８が含まれ、少なくとも１つのサブフレーム期間では透明サブフレームが表示され、残りのサブフレーム期間では表示色サブフレームが表示されるが、１フレーム期間Ｔｆｒに含まれるサブフレーム期間の個数は８に限定されない。表示色サブフレームとして、例えば赤、緑、青のサブフレームを設ける構成が考えられる。また色割れの低減等を目的として、赤、緑、青のサブフレームに加えて共通色としての白のサブフレームをさらに設けてもよく、また、共通色として白の代わりに他の色を使用してもよい。さらにまた、液晶パネル２４の光学応答特性を考慮すると、１フレーム期間Ｔｆｒにおいて表示色サブフレームを表示する複数サブフレーム期間は隣接していることが好ましく、透明サブフレームを表示する複数のサブフレーム期間が１フレーム期間Ｔｆｒに含まれている場合には当該複数のサブフレーム期間も隣接していることが好ましい。なお、単色カラー画像を表示する場合には、白、赤、緑、青、またはその他の色うちのいずれか１つの色のサブフレームのみを表示色サブフレームとして設ける構成であってもよい。
【００１９】
１フレーム期間Ｔｆｒに含まれる８個のサブフレーム期間Ｔｓ１〜Ｔｓ８のそれぞれにつき、どの色が設定されるか又は光源が消灯（透明）か否かを示す情報は、パラメータ記憶部１１に記憶されており、サブフレーム色指示信号ＢＬＤとして、駆動用画像データ演算部３３およびバックライト駆動回路２３に入力される。このパラメータ記憶部１１は、そこに記憶すべきデータを外部から設定可能なレジスタとして実現されるのが好ましい。以下、図５および図８の（Ｇ）に示すように本実施形態では、１フレーム期間Ｔｆｒにおける８個のサブフレーム期間Ｔｓ１〜Ｔｓ８のうち、第１から第４のサブフレーム期間Ｔｓ１〜Ｔｓ４はそれぞれ第１から第４透明サブフレーム期間Ｔｔ１〜Ｔｔ４であって、各透明サブフレーム期間Ｔｔｋでは透明サブフレームが表示され（ｋ＝１〜４）、第５のサブフレーム期間Ｔｓ５は青サブフレームが表示される青サブフレーム期間Ｔｂであり、第６のサブフレーム期間Ｔｓ６は緑サブフレームが表示される緑サブフレーム期間Ｔｇであり、第７のサブフレーム期間Ｔｓ７は白サブフレームが表示される白サブフレーム期間Ｔｗであり、第８のサブフレーム期間Ｔｓ８は赤サブフレームが表示される赤サブフレーム期間Ｔｒｂであるものとする。なお以下では、第１から第４透明サブフレーム期間Ｔｔ１〜Ｔｔ４からなる期間を「透明表示サブフレーム期間Ｔｔ」と呼び、青、緑、白、および赤サブフレーム期間Ｔｂ，Ｔｇ，Ｔｗ，Ｔｒからなる期間を「通常表示サブフレーム期間Ｔｎ」と呼ぶ（図５参照）。
【００２０】
本実施形態に係る画像表示装置１には、赤、緑、青、および透明色の画像データを含む入力画像データＤ１が入力される。画像データ変換部１０は、入力画像データＤ１から、透明、緑、赤、白、および青のサブフレームに対応した駆動用画像データＤ２を求める。以下、この処理を「画像データ変換処理」といい、透明、緑、赤、白、および青のサブフレームに対応した駆動用画像データＤ２を、それぞれ、「駆動用画像データＤ２に含まれる透明、緑、赤、白、および青の画像データ」という。表示部２０は、駆動用画像データＤ２に基づき、１フレーム期間Ｔｆｒに透明、緑、赤、白、および青のサブフレームを表示する。なお、この駆動用画像データＤ２は、表示部２０における液晶パネル２４における光の透過率を画素毎に決定するので、透過率制御データに相当する。
【００２１】
上記のような画像データ変換部１０は、例えばＣＰＵ（中央演算処理装置）とメモリを含むマイクロコンピュータ（以下「マイコン」と略記する）を使用し、マイコンが所定プログラムを実行することによりソフトウェア的に実現することができる。これに代えて、画像データ変換部１０の一部または全部を専用ハードウェア（典型的には、専用に設計された特定用途向け集積回路）として実現することも可能である。
【００２２】
タイミング制御回路２１は、パネル駆動回路２２とバックライト駆動回路２３に対してタイミング制御信号ＴＣを出力する。パネル駆動回路２２は、タイミング制御信号ＴＣと駆動用画像データＤ２に基づき液晶パネル２４を駆動する。バックライト駆動回路２３は、タイミング制御信号ＴＣ、パラメータ記憶部１１からのサブフレーム色指示信号ＢＬＤ、および駆動用画像データ演算部３３で生成される後述の点灯制御信号Ｃｂｌに基づき、バックライト２５を駆動する。液晶パネル２４は、２次元状に配置された複数の画素２６を含んでいる。バックライト２５は、既述のように、赤色光源２７ｒ、緑色光源２７ｇ、および、青色光源２７ｂ（以下、これらの光源２７ｒ，２７ｇ，２７ｂを総称的に「光源２７」ともいう）、ならびに、導光板を含んでいる。バックライト２５は、白色光源を含んでいてもよい。光源２７には、例えばＬＥＤ（Light Emitting Diode：発光ダイオード）が使用される。なお、点灯制御信号Ｃｂｌは、これらの光源２７ｒ，２７ｇ，２７ｂのうち点灯させる光源を指定するための信号である（詳細は後述）。
【００２３】
図２は、バックライト２５の構成例を模式的に示す斜視図である。本構成例によるバックライト２５は、液晶パネル２４の背面に対向するように配置される導光板２７０と、導光板２７０の対向する側面に配置されたエッジライト２７１，２７２とを備える（このようなバックライトユニットは「エッジ型バックライト」と呼ばれる）。各エッジライト２７１，２７２は、赤色光源としての赤色ＬＥＤ２７ｒ、緑色光源としての緑色ＬＥＤ２７ｇ、青色光源としての青色ＬＥＤ２７ｂを１組とする複数組の光源ユニットを線状に並べた構成となっている。このバックライト２５は、各発光ダイオード２７ｒ，２７ｇ，２７ｂからの光が導光板２７０の上記対向する側面から入射して主面から出射することにより、液晶パネル２４の背面に光を照射する面状照明装置として機能する。導光板２７０は、各光源ユニットにおける発光ダイオード２７ｒ，２７ｇ，２７ｂが全て消灯状態であるときには透明状態である。なお、図２に示す構成では、導光板２７０における４つの側面のうち対向する２つの側面にエッジライトが配置されているが、これに代えて、１つの側面にのみエッジライトが配置された構成、３つの側面にエッジライトが配置された構成、または、４つの側面の全てにエッジライトが配置された構成のいずれの構成であってもよい。すなわち、エッジライトから入光される導光板２７０の側面は、１つの側面のみ、２つの側面、３つの側面、４つの側面全てのいずれであってもよい。
【００２４】
次に、図３、図４、および図５を参照して、光源部としてのバックライト２５の駆動の詳を、光変調部としての液晶パネル２４の駆動とともに説明する。以下では、バックライト２５は発光ダイオード（ＬＥＤ）を用いて構成されているものとするが、バックライトの構成はこれに限定されない（他の実施形態においても同様）。
【００２５】
図３は、バックライト駆動回路２３の構成を示すブロック図である。このバックライト駆動回路２３は、点灯制御回路２３０とバックライト用電源回路２３２とから構成されている。図３に示すように点灯制御回路２３０は、ＬＥＤ制御回路２３１と、赤色光源用スイッチ２３ｒと、緑色光源用スイッチ２３ｇと、青色光源用スイッチ２３ｂとを含んでいる。ＬＥＤ制御回路２３１は、タイミング制御回路２１からのタイミング制御信号ＴＣ、パラメータ記憶部１１からのサブフレーム色指示信号ＢＬＤ、および駆動用画像データ演算部３３で生成される後述の点灯制御信号Ｃｂｌに基づき、赤色光源制御信号ＣｓｗＲ、緑色光源制御信号ＣｓｗＧ、青色光源制御信号ＣｓｗＢを生成して、赤色光源用スイッチ２３ｒ、緑色光源用スイッチ２３ｇ、青色光源用スイッチ２３ｂにそれぞれ与える。赤色光源用スイッチ２３ｒは、赤色光源制御信号ＣｓｗＲがハイレベル（Ｈレベル）のときオン状態であり、ローレベル（Ｌレベル）のときオフ状態である。緑色光源用スイッチ２３ｇは、緑色光源制御信号ＣｓｗＧがＨレベルのときオン状態であり、Ｌレベルのときオフ状態である。青色光源用スイッチ２３ｂは、青色光源制御信号ＣｓｗＢがＨレベルのときオン状態であり、Ｌレベルのときオフ状態である。
【００２６】
バックライト２５に含まれる（各光源ユニットにおける）赤色光源２７ｒ、緑色光源２７ｇ、青色光源２７ｂは、赤色光源用スイッチ２３ｒ、緑色光源用スイッチ２３ｇ、青色光源用スイッチ２３ｂをそれぞれ介してバックライト用電源回路２３２に接続されている。これにより、赤色光源２７ｒ、緑色光源２７ｇ、青色光源２７ｂには、駆動用信号として赤色光源駆動信号ＳｄｖＲ、緑色光源駆動信号ＳｄｖＧ、青色光源駆動信号ＳｄｖＢがそれぞれ与えられる。したがって、赤色光源２７ｒは赤色光源制御信号ＣｓｗＲがＨレベルのとき点灯状態であって、Ｌレベルのとき消灯状態であり、緑色光源２７ｇは緑色光源制御信号ＣｓｗＧがＨレベルのとき点灯状態であって、Ｌレベルのとき消灯状態であり、青色光源２７ｂは青色光源制御信号ＣｓｗＢがＨレベルのとき点灯状態であって、Ｌレベルのとき消灯状態である。
【００２７】
図４は、上記従来の画像表示装置におけるバックライトの駆動を説明するためのタイミングチャートである。この従来の画像表示装置も、図３に示すように構成されたバックライト駆動回路２３と同様のバックライト駆動回路を備えている。本実施形態におけるバックライトの駆動を説明する前に、この従来の画像表示装置におけるバックライトの駆動を比較例として説明する。なお以下では、従来の画像表示装置における構成のうち本実施形態に係る画像表示装置１と同一または対応する部分には同一の参照符号を付すものとする。
【００２８】
図４に示すように従来の画像表示装置では、各サブフレーム期間Ｔｇ，Ｔｒ，Ｔｗ，Ｔｂの前半は、バックライト２５から液晶パネル２４に光が照射されない消灯期間Ｔｏｆｆであり、後半は、バックライト２５から液晶パネル２４に光が照射される点灯期間Ｔｏｎである。パネル駆動回路２２は、各サブフレーム期間Ｔｘ（ｘ＝ｇ，ｒ，ｗ，ｂ）の消灯期間Ｔｏｆｆに相当する走査期間Ｔｓｃにおいて、液晶パネル２４を走査して駆動用画像データＤ２を構成する各画素データを液晶パネル２４に書き込む。バックライト駆動回路２３は、赤色光源制御信号ＣｓｗＲ、緑色光源制御信号ＣｓｗＧ、および青色光源制御信号ＣｓｗＢに従ってバックライト２５における赤色光源２７ｒ、緑色光源２７ｇ、および青色光源２７ｂを選択的に駆動する。図４に示す光源制御信号ＣｓｗＲ，ＣｓｗＧ，ＣｓｗＢの波形からわかるように、緑サブフレーム期間Ｔｇでは緑色光源２７ｇのみが、赤サブフレーム期間Ｔｒでは赤色光源２７ｒのみが、青サブフレーム期間Ｔｂでは青色光源２７ｂのみが、それぞれ点灯し、白サブフレーム期間Ｔｗでは、赤色光源２７ｒ、緑色光源２７ｇ、および青色光源２７ｂが同時に点灯する。これにより、白サブフレーム期間Ｔｗ，青サブフレーム期間Ｔｂ，緑サブフレーム期間Ｔｇ，赤サブフレーム期間Ｔｒにおいて、白色光、青色光、緑色光、赤色光が液晶パネル２４の背面にそれぞれ照射される。
【００２９】
このようにして液晶パネル２４の駆動（液晶パネル２４への画素データの書き込み）と共にバックライト２５が駆動されることにより、入力画像データＤ１に基づき、緑サブフレーム期間Ｔｇには緑サブフレーム（緑色画像）が、赤サブフレーム期間Ｔｒには赤サブフレーム（赤色画像）が、白サブフレーム期間Ｔｗには白サブフレーム（白色画像）が、青サブフレーム期間Ｔｂには青サブフレーム（青色画像）がそれぞれ表示され、経時的な加法混色によるカラー画像が液晶パネル２４に表示される。このような従来の画像表示装置における表示動作の詳細については後述する（図６、図７参照）。
【００３０】
図５は、本実施形態におけるバックライト２５の駆動を説明するためのタイミングチャートである。図５に示すように本実施形態では、１サブフレーム期間Ｔｆｒは、透明表示サブフレーム期間Ｔｔと通常表示サブフレーム期間Ｔｎとからなる。既述のように、透明表示サブフレーム期間Ｔｔは第１から第４透明サブフレーム期間Ｔｔ１〜Ｔｔ４を含み、各透明サブフレーム期間Ｔｔｋの前半は走査期間Ｔｓｃに相当する（ｋ＝１〜４）。第１から第４透明サブフレーム期間Ｔｔ１〜Ｔｔ４では光源２７ｒ，２７ｇ，２７ｂは消灯状態である。パネル駆動回路２２は、各透明サブフレーム期間Ｔｔｋ内の走査期間Ｔｓｃにおいて、液晶パネル２４を走査して駆動用画像データＤ２における透明色の画像データを構成する各画素データを液晶パネル２４に順次書き込む。なお、液晶パネル２４に書き込まれる画素データからなる透明色の画像データが第１から第４透明サブフレーム期間Ｔｔ１〜Ｔｔ４の間で同一である場合には、第２から第４透明サブフレーム期間Ｔｔ２〜Ｔｔ４での各画素データの液晶パネル２４への書込を省略してもよい。
【００３１】
また図５に示すように、通常表示サブフレーム期間Ｔｎは、青サブフレーム期間Ｔｂ、緑サブフレーム期間Ｔｇ、白サブフレーム期間Ｔｗ、および、赤サブフレーム期間Ｔｒを順に含み、これらのサブフレーム期間（表示色サブフレームを表示する期間であり、以下「表示色サブフレーム期間」と総称する）Ｔｂ，Ｔｇ，Ｔｗ，Ｔｒのそれぞれの前半は走査期間Ｔｓｃに相当する。各表示色サブフレーム期間Ｔｂ，Ｔｇ，Ｔｗ，Ｔｒの前半では光源２７ｒ，２７ｇ，２７ｂは消灯状態である。パネル駆動回路２２は、各表示色サブフレーム期間Ｔｂ，Ｔｇ，Ｔｗ，Ｔｒの前半に相当する走査期間Ｔｓｃにおいて、液晶パネル２４を走査して、駆動用画像データＤ２における対応する色の画像データを構成する各画素データを液晶パネル２４に順次書き込む。すなわちパネル駆動回路２２は、青サブフレーム期間Ｔｂ内の走査期間Ｔｓｃにおいて、青の画像データを構成する各画素データを液晶パネル２４に書き込み、緑サブフレーム期間Ｔｇ内の走査期間Ｔｓｃにおいて、緑の画像データを構成する各画素データを液晶パネル２４に書き込み、白サブフレーム期間Ｔｗ内の走査期間Ｔｓｃにおいて、白の画像データを構成する各画素データを液晶パネル２４に書き込み、赤サブフレーム期間Ｔｒ内の走査期間Ｔｓｃにおいて、赤の画像データを構成する各画素データを液晶パネル２４に書き込む。
【００３２】
一方、各表示色サブフレーム期間Ｔｂ，Ｔｇ，Ｔｗ，Ｔｒの後半では、対応する色の光源色が得られるようにバックライト駆動回路２３がバックライト２５における光源２７ｒ，２７ｇ，２７ｂを駆動する。すなわちバックライト駆動回路２３は、青サブフレーム期間Ｔｂの後半では青色光源２７ｂのみが点灯状態であり、緑サブフレーム期間Ｔｇの後半では緑色光源２７ｇのみが点灯状態であり、白サブフレーム期間Ｔｗの後半では赤、緑、および青色光源２７ｒ，２７ｇ，２７ｂの全てが点灯状態であり、赤サブフレーム期間Ｔｒの後半では赤色光源２７ｒのみが点灯状態であるように、光源２７ｒ，２７ｇ，２７ｂを駆動する。
【００３３】
このようにして液晶パネル２４の駆動（液晶パネル２４への画素データの書き込み）と共にバックライト２５が駆動されることにより、入力画像データＤ１に基づき、各透明サブフレーム期間Ｔｔ１〜Ｔｔ４には透明サブフレーム（透明色画像）が、青サブフレーム期間Ｔｂには青サブフレーム（青色画像）が、緑サブフレーム期間Ｔｇには緑サブフレーム（緑色画像）が、白サブフレーム期間Ｔｗには白サブフレーム（白色画像）が、赤サブフレーム期間Ｔｒには赤サブフレーム（赤色画像）がそれぞれ表示され、経時的な加法混色によるカラー画像とともに透明色画像が液晶パネル２４に表示される。この透明色画像の表示は、液晶パネル２４において透明領域が形成されることを意味する。このようにして本実施形態によれば、白表示（カラー画像表示）と黒表示と透明表示とを同一画面内で同時に行うこと（以下「３状態同一画面内同時表示」という）ができる。このような本実施形態における表示動作の詳細については後述する（図８、図９参照）。
【００３４】
＜１．２  表示動作＞
図６は、バックライト２５が図４に示すように駆動される上記従来の画像表示装置の表示動作を説明するためのタイミングチャートおよび波形図であり、図７は、上記従来の画像表示装置による表示例を示す模式図である。図６において、斜線によるハッチングの付された矩形は緑色（Ｇ）の光の強度と発光期間を示し、縦線によるハッチングの付された矩形は赤色（Ｒ）の光の強度と発光期間を示し、横線によるハッチングの付された矩形は青色（Ｂ）の光の強度と発光期間を示し、ハッチングの付されない矩形は白色（Ｗ）の光の強度と発光期間を示すものとし、太い点線は、液晶の光学応答（透過率の時間的変化）を示すものとする（透過率は０〜２５５の階調値に相当する値で示されている）。なお図６において、時間軸（不図示）が図において水平方向（横方向）に延びているものとする。また図７において、縦線によるハッチングの付された矩形は表示画像における赤色領域すなわち赤色（Ｒ）の画像を示し、斜線によるハッチングの付された矩形は表示画像における緑色領域すなわち緑色（Ｇ）の画像を示し、横線によるハッチングの付された矩形は表示画像における青色領域すなわち青色（Ｂ）の画像を示すものとし、２方向の斜め点線によるハッチングまたは格子状のハッチングの付された図形ＢＧ１，ＢＧ２は、液晶パネル２４の背後の人や物を示すものとする。図６および図７における上記表現方法は、後述の図８〜図１６、図２０〜図２３においても採用されている。
【００３５】
バックライト（Ｂ／Ｌ）２５の光源２７（光源２７ｒ，２７ｇ，２７ｂ）が点灯する場合には、図６の（Ｂ）〜（Ｅ）に示すように液晶パネル２４を駆動することにより液晶パネルの透過率を画素毎に制御することで、図７の（Ａ）に示すように、黒色表示、白色表示、赤または青等の単色表示を行うことができる。バックライト（Ｂ／Ｌ）２５の光源２７が点灯する場合には、液晶パネル２４の背面側に設けられた導光板２７０が発光するので、液晶パネル２４を通して背景（背後の人や物）ＢＧ１，ＢＧ２を視認することはできない。これに対し、バックライト（Ｂ／Ｌ）２５の光源２７が点灯しない場合には、導光板２７０が透明状態であるので、液晶パネル２４の駆動により液晶パネルの透過率を画素毎に制御することで、図７の（Ｂ）に示すように、透明表示および黒表示を行うことができる。しかし、バックライト（Ｂ／Ｌ）２５の光源２７が点灯しない場合には、白色表示や、カラー画像表示、単色表示（既述のようにこれらを総称して「白表示」という）は行えない。このように従来の画像表示装置では、白表示と黒表示と透明表示とを同一画面内で同時に行うことができない。なお「単色表示」とは、バックライト２５における光源２７ｒ，２７ｇ，２７ｂのいずれか１つの色の画像の表示をいう。
【００３６】
図８は、バックライト２５が図５に示すように駆動される本実施形態に係る画像表示装置１の表示動作を説明するためのタイミングチャートおよび波形図であり、図９は、この画像表示装置１による表示例を示す模式図である。この画像表示装置１は、バックライト２５を点灯する表示動作のモード（以下「Ｂ／Ｌ点灯モード」という）とバックライトを点灯しない表示動作のモード（以下「Ｂ／Ｌ消灯モード」という）とを備えており、図５および図８は、Ｂ／Ｌ点灯モードにおける画像表示装置１の表示動作を示している。本実施形態では、Ｂ／Ｌ点灯モードとＢ／Ｌ消灯モードのいずれのモードで動作するかをフレーム単位で指定する制御情報が入力画像データＤ１に含まれており、この制御情報に基づき駆動用画像データ演算部３３により生成される点灯制御信号Ｃｂｌがバックライト駆動回路２３に入力されることで、Ｂ／Ｌ点灯モードとＢ／Ｌ消灯モードの間での切替が行われる。ただし、これに代えて、Ｂ／Ｌ点灯モードとＢ／Ｌ消灯モードの間での切替を行うための操作部を設ける構成、または、Ｂ／Ｌ点灯モードとＢ／Ｌ消灯モードのいずれかを指定する制御信号が外部から入力される構成を採用してもよい。以下では、Ｂ／Ｌ点灯モードの表示動作を中心に説明し、Ｂ／Ｌ消灯モードの表示動作については後で言及する。
【００３７】
本実施形態のＢ／Ｌ点灯モードでは、既述のように図５および図８の（Ｆ）に示すように、１フレーム期間Ｔｆｒのうち、青サブフレーム期間Ｔｂの後半において青色光源２７ｂのみが点灯状態であり、緑サブフレーム期間Ｔｇの後半において緑色光源２７ｇのみが点灯状態であり、白サブフレーム期間Ｔｗの後半において赤、緑、および青色光源２７ｒ，２７ｇ，２７ｂの全てが点灯状態であり、赤サブフレーム期間Ｔｒの後半において赤色光源２７ｒのみが点灯状態であり、その他の期間では赤、緑、および青色光源２７ｒ，２７ｇ，２７ｂの全てが消灯状態である。
【００３８】
このＢ／Ｌ点灯モードでは、パネル駆動回路２２が液晶パネル２４を以下のように駆動するための駆動用画像データＤ２が駆動用画像データ演算部３３により生成される。すなわち、液晶パネル２４に表示すべき画像（以下、単に「表示画像」という）における透明領域については、当該透明領域の画素を形成するために、透明表示サブフレーム期間Ｔｔを構成する第１〜第４透明サブフレーム期間Ｔｔ１〜Ｔｔ４のそれぞれの前半（走査期間Ｔｓｃ）において階調値２５５（最大透過率）を示す画素データが液晶パネル２４に書き込まれ、通常表示サブフレーム期間Ｔｎを構成する青、緑、白、および赤サブフレーム期間Ｔｂ，Ｔｇ，Ｔｗ，Ｔｒのそれぞれの前半（走査期間Ｔｓｃ）において階調値０（最小透過率）を示す画素データが液晶パネル２４に書き込まれる（図５、図８の（Ａ）参照）。その結果、各フレーム期間Ｔｆｒにおいて、当該透明領域に対応する液晶の透過率は図８の（Ａ）において太い点線で示すように変化する。また、第１〜第４透明サブフレーム期間Ｔｔ１〜Ｔｔ４では、バックライト２５における赤、緑、および青色光源２７ｒ，２７ｇ，２７ｂの全てが消灯状態であるので、導光板２７０は透明状態となっている。したがって、表示画像における透明領域は透明状態（背景が透けて見える状態）として視認される。
【００３９】
表示画像における黒色領域については、当該黒色領域の画素を形成するために、各フレーム期間Ｔｆｒにおけるいずれのサブフレーム期間の前半（走査期間Ｔｓｃ）においても階調値０（最小透過率）を示す画素データが液晶パネル２４に書き込まれる（図５、図８の（Ｂ）参照）。その結果、図８の（Ｂ）において太い点線で示すように、黒色領域に対応する液晶の透過率は、各フレーム期間Ｔｆｒにおいて、階調値０に相当する値（最小透過率）で一定である。これにより、表示画像における黒色領域の色が黒色として視認される。
【００４０】
表示画像における白色領域については、当該白色領域の画素を形成するために、各フレーム期間Ｔｆｒにおけるいずれのサブフレーム期間の前半（走査期間Ｔｓｃ）においても階調値２５５（最大透過率）を示す画素データが液晶パネル２４に書き込まれる（図５、図８の（Ｃ）参照）。その結果、図８の（Ｃ）において太い点線で示すように、白色領域に対応する液晶の透過率は、各フレーム期間Ｔｆｒにおいて、階調値２５５に相当する値（最大透過率）で一定である。各フレーム期間Ｔｆｒのうち通常表示サブフレーム期間Ｔｎを構成する青、緑、白、および赤サブフレーム期間Ｔｂ，Ｔｇ，Ｔｗ，Ｔｒのそれぞれの後半で対応する色でバックライト２５が発光する。このような液晶パネル２４およびバックライト２５の駆動により、表示画像における白色領域の色が白色として視認される。
【００４１】
表示画像に青の単色領域が含まれる場合（その単色領域の階調値は２５５とする）、その単色領域すなわち青色領域については、当該青色領域の画素を形成するために、各フレーム期間Ｔｆｒのうち、青サブフレーム期間Ｔｂの前半（走査期間Ｔｓｃ）において階調値２５５（最大透過率）を示す画素データが液晶パネル２４に書き込まれ、他のサブフレーム期間の前半（走査期間Ｔｓｃ）において階調値０（最小透過率）を示す画素データが液晶パネル２４に書き込まれる（図５、図８の（Ｄ）参照）。その結果、各フレーム期間Ｔｆｒにおいて、当該青色領域に対応する液晶の透過率は図８の（Ｄ）において太い点線で示すように変化する。また既述のように、青サブフレーム期間Ｔｂの後半ではバックライト２５において青色光源２７ｂのみが点灯状態である。このような液晶パネル２４およびバックライト２５の駆動により、表示画像における青色領域の色が青色として視認される。
【００４２】
表示画像に赤の単色領域が含まれる場合（その単色領域の階調値は２５５とする）、その単色領域すなわち赤色領域については、当該赤色領域の画素を形成するために、各フレーム期間Ｔｆｒのうち、赤サブフレーム期間Ｔｒの前半（走査期間Ｔｓｃ）において階調値２５５（最大透過率）を示す画素データが液晶パネル２４に書き込まれ、他のサブフレーム期間の前半（走査期間Ｔｓｃ）において階調値０（最小透過率）を示す画素データが液晶パネル２４に書き込まれる（図５、図８の（Ｅ）参照）。その結果、各フレーム期間Ｔｆｒにおいて、当該赤色領域に対応する液晶の透過率は、図８の（Ｅ）において太い点線で示すように変化する。また既述のように、赤サブフレーム期間Ｔｒの後半ではバックライト２５において赤色光源２７ｒのみが点灯状態である。このような液晶パネル２４およびバックライト２５の駆動により、表示画像における赤色領域の色が赤色として視認される。
【００４３】
Ｂ／Ｌ点灯モードにおいて、上記のような図８に示す表示動作により、例えば図９の（Ａ）に示すように、白表示（白色表示およびカラー表示）と黒表示と透明表示とを同一画面内で同時に行うことができる。
【００４４】
図１０は、本実施形態に係る画像表示装置１のＢ／Ｌ消灯モードにおける表示動作を説明するためのタイミングチャートおよび波形図である。Ｂ／Ｌ消灯モードでは、図１０の（Ｆ）に示すように、各フレーム期間Ｔｆｒにおけるサブフレーム期間Ｔｓ１〜Ｔｓ８のいずれにおいてもバックライト２５の光源２７ｒ，２７ｇ，２７ｂが全て消灯状態であるので、白色表示およびやカラー表示（単色表示を含む）はいずれも不可能である（図１０の（Ｃ）〜（Ｅ）参照）。
【００４５】
このＢ／Ｌ消灯モードでは、パネル駆動回路２２が液晶パネル２４を以下のように駆動するための駆動用画像データＤ２が駆動用画像データ演算部３３により生成される。すなわち、表示画像における透明領域については、当該透明領域の画素を形成するために、各フレーム期間Ｔｆｒにおけるいずれのサブフレーム期間の前半（走査期間Ｔｓｃ）においても階調値２５５（最大透過率）を示す画素データが液晶パネル２４に書き込まれる。その結果、各フレーム期間Ｔｆｒにおいて、当該透明領域に対応する液晶の透過率は図１０の（Ａ）に示すように階調値２５５に相当する値（最大透過率）で一定である。また、Ｂ／Ｌ消灯モード導光板２７０は透明状態に維持される。したがって、表示画像における透明領域は透明状態であるとして視認される。
【００４６】
表示画像における黒色領域については、当該黒色領域の画素を形成するために、Ｂ／Ｌ点灯モードと同様、各フレーム期間Ｔｆｒにおけるいずれのサブフレーム期間の前半（走査期間Ｔｓｃ）においても階調値０（最小透過率）を示す画素データが液晶パネル２４に書き込まれる。その結果、図１０の（Ｂ）において太い点線で示すように、黒色領域に対応する液晶の透過率は、各フレーム期間Ｔｆｒにおいて、階調値０に相当する値（最小透過率）で一定である。これにより、表示画像における黒色領域の色が黒色として視認される。
【００４７】
上記のようにＢ／Ｌ消灯モードでは、例えば図９の（Ｂ）に示すように黒表示と透明表示とを同時に同一画面内で行うことができるが、白表示（白色表示およびカラー表示）と黒表示と透明表示とを同一画面内で同時に行うことができない。しかしＢ／Ｌ消灯モードでは、表示画像における透明領域の画素を形成するために、１フレーム期間Ｔｆｒの全体において導光板２７０が透明状態に維持されるとともに当該画素に対応する液晶の透過率が最大に維持されるので、当該透明領域の透明度をＢ／Ｌ点灯モードでの表示画像における透明領域よりも高めることができる（図８の（Ａ）、図１０の（Ａ）参照）。
【００４８】
＜１．３  効果＞
上記のような本実施形態によれば、Ｂ／Ｌ点灯モードにおいて、１フレーム期間Ｔｆｒのうちバックライト２５が点灯しない時間（透明サブフレーム期間Ｔｔ１〜Ｔｔ４）を利用して表示画像における所望の領域において透明状態を実現することができる（図８の（Ａ）、図９の（Ａ）参照）。すなわち本実施形態によれば、表示パネルや回路の構成を複雑化させることなく、液晶パネルと導光板２７０を用いた通常の構成においてフィールドシーケンシャル方式に基づく上記のような駆動方法を採用することにより、白表示と黒表示と透明表示とを同一画面内で同時に行うこと（３状態同一画面内同時表示）ができる。このため、従来において３状態同一画面内同時表示を実現するために、画素形成のための構成を有する新たなパネルや当該新たなパネルの駆動のための回路を追加する必要がない。したがって、本実施形態によれば、複数のパネルを重ねることによるモアレの発生やコストの増大を回避しつつ３状態同一画面内同時表示を実現することができる。
【００４９】
また本実施形態では、各フレーム期間Ｔｆｒにおいて透明表示サブフレーム期間Ｔｔの直後（第４透明サブフレーム期間Ｔｔ４の直後）に第５サブフレーム期間Ｔｓ５として青サブフレーム期間Ｔｂが配置されていることから、図８（Ａ）に示すように液晶の応答特性に起因して、表示画像における透明領域において青サブフレーム期間Ｔｂに青色光源２７ｂから光（青色光）が液晶パネル２４の前面側に若干漏れることがある。しかし、液晶パネル２４で使用される偏光板の透過光は黄色味を帯びる傾向があり、黄色の補色は青色であるので、表示画像における透明領域で青色光が漏れても視覚上は違和感が生じにくい。したがって、本実施形態のように透明表示サブフレーム期間Ｔｔの直後に青サブフレーム期間Ｔｂを配置する構成とするのが好ましい。ただし、この利点に特に着目しない場合、本発明は、透明表示サブフレーム期間Ｔｔの直後に青サブフレーム期間Ｔｂを配置する構成に限定されない。
【００５０】
＜１．４  第１の変形例＞
次に、表示画像における透明領域での光源光の漏れ（図８（Ａ）に示す例では青色光の漏れ）を防止するために液晶パネル２４の駆動を改善した構成を、上記第１の実施形態の第１の変形例として図５、図１１、および図１２を参照しつつ説明する。
【００５１】
図１１は、本変形例に係る画像表示装置の表示動作を説明するためのタイミングチャートおよび波形図であり、図１２は、本変形例に係る画像表示装置による表示例を示す模式図である。なお、本変形例に係る画像表示装置の構成のうち上記第１の実施形態に係る画像表示装置と同一または対応する部分には同一の参照符号を付すものとする（図１〜図３参照）。また、本変形例に係る画像表示装置１もＢ／Ｌ点灯モードとＢ／Ｌ消灯モードとを備えており、図５および図１１は、Ｂ／Ｌ点灯モードにおける本変形例に係る画像表示装置１の動作を示している。以下ではＢ／Ｌ点灯モードの表示動作を中心に説明し、Ｂ／Ｌ消灯モードの表示動作については上記第１の実施形態と同様であるので説明を省略する（図１０、図１２の（Ｂ）参照）。
【００５２】
本変形例では、透明表示サブフレーム期間Ｔｔの直後のサブフレーム期間すなわち第５サブフレーム期間Ｔｓ５としての青サブフレーム期間Ｔｂに表示画像の透明領域で生じる光源光（青色光）の漏れを極力抑制するために、透明表示サブフレーム期間Ｔｔ（第１から第４透明サブフレーム期間Ｔｔ１〜Ｔｔ４）における液晶パネル２４の駆動が修正されている。なお、本変形例におけるバックライト２５の駆動は上記第１の実施形態と同様である（図５、図１１の（Ｆ）参照）。
【００５３】
本変形例のＢ／Ｌ点灯モード（図５参照）では、パネル駆動回路２２が液晶パネル２４を以下のように駆動するための駆動用画像データＤ２が駆動用画像データ演算部３３により生成される。すなわち、表示画像における透明領域については、当該透明領域の画素を形成するために、透明表示サブフレーム期間Ｔｔを構成する第１〜第４透明サブフレーム期間Ｔｔ１〜Ｔｔ４のうち、第１から第３透明サブフレーム期間Ｔｔ１〜Ｔｔ３のそれぞれの前半（走査期間Ｔｓｃ）では上記第１の実施形態と同様、階調値２５５（最大透過率）を示す画素データが液晶パネル２４に書き込まれ、第４透明サブフレーム期間Ｔｔ４では上記第１の実施形態とは異なり、階調値１２８（最大透過率の１／２の透過率）を示す画素データが液晶パネル２４に書き込まれる。通常表示サブフレーム期間Ｔｎを構成する青、緑、白、および赤サブフレーム期間Ｔｂ，Ｔｇ，Ｔｗ，Ｔｒのそれぞれの前半（走査期間Ｔｓｃ）では、上記第１の実施形態と同様、階調値０（最小透過率）を示す画素データが液晶パネル２４に書き込まれる（図５、図１１の（Ａ）参照）。その結果、各フレーム期間Ｔｆｒにおいて、当該透明領域に対応する液晶の透過率は図１１の（Ａ）において太い点線で示すように変化する。これにより、第５サブフレーム期間Ｔｓ５としての青サブフレーム期間Ｔｂの後半で点灯状態である青色光源２７ｂの光（青色光）の透明領域での漏れが十分に抑制される。
【００５４】
なお、図１１の（Ａ）に示す例では、第４透明サブフレーム期間Ｔｔ４において透明領域につき階調値１２８（最大透過率の１／２の透過率）を示す画素データが液晶パネル２４に書き込まれるが、ここで、通常表示サブフレーム期間Ｔｎの直前の透明サブフレーム期間Ｔｔ４に書き込まれる画素データが示す階調値は、１２８に限定されるものではなく、透明表示サブフレーム期間Ｔｔの直後のサブフレーム期間Ｔｓ５としての青サブフレーム期間Ｔｂの後半すなわち青色光源２７ｂの点灯期間において液晶の透過率が十分に小さくなるような値であればよい。
【００５５】
本変形例では、上記のように液晶パネル２４が駆動することにより、透明表示サブフレーム期間Ｔｔ（特に第４透明サブフレーム期間Ｔｔ４）においてバックライト２５が点灯しないことを利用して液晶の透過率を調整することで、図１１の（Ａ）に示すように、Ｂ／Ｌ点灯モードにおいて透明領域の画素の形成のために、青色光源２７ｂを含むバックライト２５からの光源光が十分に遮断される。
【００５６】
本変形例における黒色表示、白色表示、および単色表示のための液晶パネル２４の駆動は、図１１の（Ｂ）〜（Ｅ）に示すように、上記第１の実施形態と同様である。
【００５７】
上記のような本変形例によれば、図１２の（Ａ）に示すように上記第１の実施形態と同様、白表示（カラー表示）と黒表示と透明表示とを同一画面内で同時に行うことができる。しかも本変形例によれば、上記のように透明表示において青色光源２７ｂを含むバックライト２５からの光源光が十分に遮断されるので、上記第１の実施形態よりも良好な透明表示が可能となる。
【００５８】
＜１．５  第２の変形例＞
上記第１の実施形態では、通常表示サブフレーム期間Ｔｎは、青、緑、白、および赤サブフレーム期間Ｔｂ，Ｔｇ，Ｔｗ，Ｔｒからなる４つのサブフレーム期間により構成されているが、白サブフレーム期間Ｔｗを設けずに、青、緑、および赤サブフレーム期間Ｔｂ，Ｔｇ，Ｔｒからなる３つのサブフレーム期間により通常表示サブフレーム期間Ｔｎが構成されていてもよい。以下、このような構成の画像表示装置を、第１の実施形態の第２の変形例として図１３および図１４を参照しつつ説明する。
【００５９】
図１３は、本変形例に係る画像表示装置の表示動作を説明するためのタイミングチャートおよび波形図であり、図１４は、本変形例に係る画像表示装置による表示例を示す模式図である。なお、本変形例に係る画像表示装置の構成のうち上記第１の実施形態に係る画像表示装置と同一または対応する部分には同一の参照符号を付すものとする（図１参照）。また、本変形例に係る画像表示装置１もＢ／Ｌ点灯モードとＢ／Ｌ消灯モードとを備えており、図１３は、Ｂ／Ｌ点灯モードにおける本変形例に係る画像表示装置１の動作を示している。以下では、Ｂ／Ｌ点灯モードの表示動作を中心に説明し、Ｂ／Ｌ消灯モードの表示動作については上記第１の実施形態と同様であるので説明を省略する（図１０、図１４の（Ｂ）参照）。
【００６０】
図１３の（Ｆ）に示すように本変形例のＢ／Ｌ点灯モードでは、１フレーム期間Ｔｆｒのうち、第６サブフレーム期間Ｔｓ６としての青サブフレーム期間Ｔｂの後半において青色光源２７ｂのみが点灯状態であり、第７サブフレーム期間Ｔｓ７としての緑サブフレーム期間Ｔｇの後半において緑色光源２７ｇのみが点灯状態であり、第８サブフレーム期間Ｔｓ８としての赤サブフレーム期間Ｔｒの後半において赤色光源２７ｒのみが点灯状態であり、その他の期間（第１から第５のサブフレーム期間Ｔｓ１〜Ｔｓ５等）では赤、緑、および青色光源２７ｒ，２７ｇ，２７ｂの全てが消灯状態である。
【００６１】
このＢ／Ｌ点灯モードでは、パネル駆動回路２２が液晶パネル２４を以下のように駆動するための駆動用画像データＤ２が駆動用画像データ演算部３３により生成される。すなわち、表示画像における透明領域については、当該透明領域の画素を形成するために、透明表示サブフレーム期間Ｔｔを構成する第１〜第４透明サブフレーム期間Ｔｔ１〜Ｔｔ４のいずれの前半（走査期間Ｔｓｃ）においても階調値２５５（最大透過率）を示す画素データが液晶パネル２４に書き込まれ、第５サブフレーム期間Ｔｓ５（第５透明サブフレーム期間Ｔｔ５）、青サブフレーム期間Ｔｂ、緑サブフレーム期間Ｔｇ，および赤サブフレーム期間Ｔｒのそれぞれの前半（走査期間Ｔｓｃ）において階調値０（最小透過率）を示す画素データが液晶パネル２４に書き込まれる（図１３の（Ａ）（Ｇ）参照）。その結果、各フレーム期間Ｔｆｒにおいて、当該透明領域に対応する液晶の透過率は図１３の（Ａ）において太い点線で示すように変化する。
【００６２】
本変形例では、上記第１の実施形態に比べ、バックライト２５の点灯しないサブフレーム期間が増え、青サブフレーム期間Ｔｂの直前の第５サブフレーム期間Ｔｓ５（第５透明サブフレーム期間Ｔｔ５）においてもバックライト２５は消灯状態であり、この第５サブフレーム期間Ｔｓ５の前半である走査期間Ｔｓｃでは、上記のように表示画像における透明領域につき階調値０（最小透過率）を示す画素データが液晶パネル２４に書き込まれる。このため、第１から第５のサブフレーム期間Ｔｓ１〜Ｔｓ５で導光板２７０が透明状態であり、青サブフレーム期間Ｔｂを含む通常表示サブフレーム期間Ｔｎにおいて青色光源２７ｂを含むバックライト２５からの光源光の当該透明領域における漏れが確実に抑制される。その結果、表示画像における透明領域の透過率が上記第１の実施形態よりも向上する。
【００６３】
本変形例における黒色表示、白色表示、および単色表示のための液晶パネル２４の駆動は、図１３の（Ｂ）〜（Ｅ）に示すように、上記第１の実施形態と実質的に同様である。
【００６４】
上記のような本変形例によれば、白サブフレーム期間Ｔｗが設けられないことから共通色サブフレーム期間による色割れ防止効果が得られないが、この点を除き、上記第１の実施形態と同様の効果が得られる。すなわち本変形例においても、図１４の（Ａ）に示すように、白表示（カラー表示）と黒表示と透明表示とを同一画面内で同時に行うことができる。しかも本変形例によれば、上記のように、第１の実施形態に比べ表示画像における透明領域の透過率（透明度）が向上する。
【００６５】
＜１．６  第３の変形例＞
バックライト２５における光源２７ｒ，２７ｇ，２７ｂのうちいずれか１つの光源２７ｘ（ｘ＝ｒ，ｇ，または、ｂ）の色の単色画像を表示する場合、すなわち入力画像データＤ１の表す画像（入力画像）が赤、緑、青のいずれかの単色画像である場合には、当該単色に対応する光源のみを点灯する構成（他の光源を使用しない構成）としてもよい。この場合、バックライト２５が当該単色の光源２７ｘのみを有する構成としてもよいが、バックライト２５が赤、緑、および青色光源２７ｒ，２７ｇ，２７ｂを有するものとして、これら赤、緑、および青色光源２７ｒ，２７ｇ，２７ｂのうちいずれの光源を点灯させるかを指示する点灯制御信号Ｃｂｌを導入し、入力画像データＤ１の表す画像が赤、緑、青のいずれかの単色の画像である場合に、当該単色に応じてより適切にバックライト２５および液晶パネル２４が駆動されるように、駆動用画像データＤ２、サブフレーム色指示信号ＢＬＤ、および点灯制御信号Ｃｂｌが生成される構成とするのが好ましい。以下、このような構成の画像表示装置を、第１の実施形態の第３の変形例として図１５および図１６を参照しつつ説明する。
【００６６】
図１５は、本変形例に係る画像表示装置の表示動作を説明するためのタイミングチャートおよび波形図であり、図１６は、本変形例に係る画像表示装置による表示例を示す模式図である。なお、本変形例に係る画像表示装置の構成のうち上記第１の実施形態に係る画像表示装置と同一または対応する部分には同一の参照符号を付すものとする（図１参照）。また、本変形例に係る画像表示装置１もＢ／Ｌ点灯モードとＢ／Ｌ消灯モードとを備えており、図１５は、Ｂ／Ｌ点灯モードにおける本変形例に係る画像表示装置１の動作を示している。以下では、Ｂ／Ｌ点灯モードの表示動作を中心に説明し、Ｂ／Ｌ消灯モードの表示動作については上記第１の実施形態と同様であるので説明を省略する（図１０、図１６の（Ｂ）参照）。
【００６７】
本変形例における駆動用画像データ演算部３３は、入力画像データＤ１に基づき入力画像が単色画像か否かを判定し、且つ入力画像が単色画像であると判定された場合に当該単色画像の色を判定する単色画像判定処理を行う。すなわち、この単色画像判定処理は、下記のステップ（ＳＴ１）〜（ＳＴ３）を含み、駆動用画像データ演算部３３は、１フレーム分の入力画像データＤ１が入力される毎に、下記のステップ（ＳＴ１）〜（ＳＴ３）を実行した後に、入力画像データＤ１から駆動用画像データＤ２を求める処理（画像データ変換処理）を行う。
（ＳＴ１）：１フレーム分の画像データＤ１の表す入力画像が単色画像か否かを判定する。ここでは、当該入力画像を構成する各画素の色が透明色、黒、赤、緑、または青のいずれかであり、当該入力画像内の有彩色（赤、緑、青のいずれかの色）の画素が全て同一色である場合に、当該入力画像は単色画像であると判定し、それ以外の場合には、当該入力画像は単色画像ではないと判定する。
（ＳＴ２）：上記ステップ（ＳＴ１）での判定の結果、当該入力画像が単色画像である場合に、当該入力画像に含まれる有彩色の画素の色が赤、緑、青のいずれであるかを判定し（以下、この判定で決定される色を「入力色」という）、ステップＳＴ３へ進む。なお、当該入力画像が単色画像である場合において当該入力画像に有彩色の画素が含まれないときには、入力色は“無彩色”であるものとする。一方、上記ステップ（ＳＴ１）での判定の結果、当該入力画像が単色画像でない場合には、赤色光源２７ｒ、緑色光源２７ｇ、および青色光源２７ｂの全ての点灯を指示する点灯制御信号Ｃｂｌを生成し、単色画像判定処理を終了する。
（ＳＴ３）：入力色が赤、緑、青のいずれかである場合には、赤色光源２７ｒ、緑色光源２７ｇ、および青色光源２７ｂのうち入力色に対応する光源２７のみの点灯を指示する点灯制御信号Ｃｂｌを生成する。一方、入力色が無彩色である場合には、赤色光源２７ｒ、緑色光源２７ｇ、および青色光源２７ｂの全ての消灯を指示する点灯制御信号Ｃｂｌを生成する。その後、単色画像判定処理を終了する。
なお、画像表示装置１に入力される入力画像データＤ１の表す入力画像のどのフレームにおいても赤、青、緑のいずれかの色の画素が含まれていることを前提とする場合には、上記のステップ（ＳＴ２），（ＳＴ３）における無彩色に関する処理は省略される。以下では、このような前提が成立しているものとするが、これに代えて、無彩色の画素のみからなる入力画像は単色画像として扱わないようにしてもよい。
【００６８】
図１５は、上記単色画像判定処理において入力色が赤であると判定された場合すなわち入力画像データＤ１の表す画像が赤の単色画像である場合における画像表示装置１の表示動作を示すタイミングチャートおよび波形図である。図１５の（Ｆ）に示すように本変形例のＢ／Ｌ点灯モードでは、１フレーム期間Ｔｆｒのうち、第８のサブフレーム期間Ｔｓ８としての赤サブフレーム期間Ｔｒの後半において赤色光源２７ｒのみが点灯状態であり、その他の期間（第１から第７のサブフレーム期間Ｔｓ１〜Ｔｓ７）ではバックライト２５（赤、緑、および青色光源２７ｒ，２７ｂ，２７ｇの全て）が消灯状態である。
【００６９】
このＢ／Ｌ点灯モードでは、パネル駆動回路２２が液晶パネル２４を以下のように駆動するための駆動用画像データＤ２が駆動用画像データ演算部３３により生成される。すなわち、表示画像における透明領域については、当該透明領域の画素を形成するために、透明表示サブフレーム期間Ｔｔを構成する第１〜第６透明サブフレーム期間Ｔｔ１〜Ｔｔ６のいずれの前半（走査期間Ｔｓｃ）においても階調値２５５（最大透過率）を示す画素データが液晶パネル２４に書き込まれ、第７のサブフレーム期間Ｔｓ７としての第７透明サブフレーム期間Ｔｔ７および第８のサブフレーム期間Ｔｓ８としての赤サブフレーム期間Ｔｒのそれぞれの前半（走査期間Ｔｓｃ）において階調値０（最小透過率）を示す画素データが液晶パネル２４に書き込まれる（図１５の（Ａ）および（Ｇ）参照）。その結果、各フレーム期間Ｔｆｒにおいて、当該透明領域に対応する液晶の透過率は図１５の（Ａ）において太い点線で示すように変化する。また、上記のように第１から第７のサブフレーム期間Ｔｓ１〜Ｔｓ７では、バックライト２５の光源２７が点灯しないので、導光板２７０が透明状態である。したがって本変形例によれば、表示画像における透明領域の透過率（透明度）が更に向上する。
【００７０】
本変形例における赤の単色表示のための液晶パネル２４の駆動、すなわち表示画像における赤色領域の画素を形成するための液晶パネル２４の駆動は、図１５の（Ｅ）に示すように、上記第１の実施形態と同様である。また、黒表示のための液晶パネル２４の駆動も、図１５の（Ｂ）に示すように、上記第１の実施形態と同様である。なお本変形例では、入力画像データＤ１は赤の単色画像を表すので、白色表示や青の単色表示のための液晶パネル２４の駆動は不必要である。
【００７１】
上記のような本変形例によれば、入力画像データＤ１が赤の単色画像を表す場合に、図１６の（Ａ）に示すように、赤単色表示と黒表示と透明表示とを同一画面内で同時に行うことができ、また、赤の単色画像である表示画像において透明領域の透過率（透明度）が更に向上する。なお、入力画像データＤ１が他の色（青、緑のいずれか）の単色画像を表す場合においても、当該他の色に応じて上記のようにバックライト２５および液晶パネル２４を駆動することにより（そのような駆動のための駆動用画像データＤ２およびサブフレーム色指示信号ＢＬＤを画像データ変換部１０により生成することにより）、同様の効果を得ることができる。
【００７２】
＜２．第２の実施形態＞
＜２．１  全体構成＞
次に、第２の実施形態に係る画像表示装置について説明する。本実施形態に係る画像表示装置は、その外部から液晶パネル２４の背面に向かう光（以下「背景光」という）を検出し、背景光を考慮して光変調部としての液晶パネルを駆動するように構成されている。図１７は、本実施形態に係る画像表示装置１ｂの構成を示すブロック図である。この画像表示装置１ｂは、上記第１の実施形態（図１）と同様、画像データ変換部１０と表示部２０を備えており、画像データ変換部１０は、パラメータ記憶部１１および駆動用画像データ演算部３３を含み、表示部２０は、光変調部としての液晶パネル２４と、赤色光源２７ｒ、緑色光源２７ｇ、および青色光源２７ｂ、ならびに導光板を含む光源部としてのバックライト２５と、タイミング制御回路２１と、光変調部駆動回路としてのパネル駆動回路２２と、光源部駆動回路としてのバックライト駆動回路２３とを含んでいる。この画像表示装置１ｂにおけるこれらの構成要素については、上記第１の実施形態に係る画像表示装置１の構成要素と基本的に同様の構成および機能を有しているので（図３、図５参照）、以下では、上記第１の実施形態と異なる構成および機能についてのみ説明する。この画像表示装置１ｂは、これらの構成要素に加え、背景光を検出するための光検出器としての背景光センサ１３を画像データ変換部１０内に含んでおり、背景光センサ１３は、検出される背景光の色および光強度を示すセンサ信号ＳＤを出力する。このセンサ信号ＳＤは駆動用画像データ演算部３３に入力される。このようにして本実施形態は、背景光に適合した駆動方法で液晶パネルを駆動するように構成されている（詳細は後述）。このような液晶パネルの駆動方法の背景光への適合化は、時間方向への変化が視認され難いように徐々に進むのが好ましい。そこで、このような駆動方法の漸次的な適合化を行う場合、画像データ変換部１０はメモリ１５を備えており、その漸次的な適合化のために、センサ信号ＳＤが示す背景光の強度等を考慮した１フレーム分の駆動用画像データがメモリ１５に一時的に記憶される。
【００７３】
本実施形態に係る画像表示装置１ｂも、フィールドシーケンシャル方式の液晶表示装置であり、バックライト２５における光源２７ｒ，２７ｇ，２７ｂは、上記第１の実施形態と同じ態様（タイミング）で駆動される（図３、図５、後述の図２０の（Ｆ）参照）。
【００７４】
本実施形態に係る画像表示装置１ｂにも、赤、緑、青、および透明色の画像データを含む入力画像データＤ１が入力される。画像データ変換部１０は、入力画像データＤ１に基づき、背景光センサ１３からのセンサ信号ＳＤが示す背景光の強度を考慮して、透明色、緑、赤、白、および青のサブフレームに対応した駆動用画像データＤ２を求める。表示部２０は、駆動用画像データＤ２に基づき、１フレーム期間に透明色、緑、赤、白、および青のサブフレームを表示する。
【００７５】
＜２．２  特徴的構成の概要＞
次に、本実施形態の特徴的構成の概要を、図１８および図１９を参照しつつ説明する。図１８は、この特徴的構成により対応されるべき従来の画像表示装置の問題を説明するための図であり、図１９は、この問題の解決方法をこの特徴的構成と関連付けて説明するための図である。
【００７６】
通常の表示装置で同一の単色を表示する場合であっても、図１８（Ａ）に示すように、周囲の明度との対比効果すなわち明度対比によって、当該表示された単色を暗室で見るよりも明室で見る方が明るく感じられる。このため明室では、当該表示された単色についての見た目の印象が悪くなることがある。
【００７７】
一方、有機発光ダイオード（以下「ＯＬＥＤ」という）を用いた透明ディスプレイでは、画素の一部が透明になっているので、表示画像のうち単色を表示する領域においても背景の光が透過する。このため、明室において当該表示された単色の輝度が向上し、当該表示された単色の見た目の印象が良くなることがある。ただし、背景光の色が当該表示される単色と異なる場合には、色シフトが生じて見た目の印象が良くならないこともある。
【００７８】
フィールドシーケンシャル方式の透明ディスプレイとしての液晶表示装置では、いずれかの光源色に相当する単色を表示する場合、図１８の（Ｂ）に示すように、バックライトにおける複数光源のうち当該単色に対応する光源を１フレーム期間のうち１つのサブフレーム期間でのみ点灯状態とし、当該サブフレーム期間で最大透過率を示す画素データを液晶パネルに書き込むことで、液晶の透過率が図１８の（Ｂ）において太い実線で示すように変化する。このため、単色表示において液晶パネルの透過率は極めて低いものとなり、また、ＯＬＥＤを用いた透明ディスプレイのように画素の一部が透明になっている構成に比べ、明室において当該表示された単色の輝度はほとんど向上しない。その結果、明室では当該表示された単色の見た目の印象が悪くなる。
【００７９】
これに対し、上記第１の実施形態のように、３状態同一画面内同時表示を行うために各フレーム期間Ｔｆｒ内に透明サブフレーム期間Ｔｔｋ（光源２７が点灯せず導光板２７０が透明状態であるサブフレーム期間）が含まれる場合には、背景光の色等を考慮しつつ透明サブフレーム期間Ｔｔｋでの液晶の透過率を調整することで単色表示を改善することが考えられる。例えば、単色として赤色を表示すべき場合において、背景光の色が白色または赤色であるときには、図１９の（Ｂ）に示すように、赤色光源が点灯状態であるサブフレーム期間Ｔｒのみならず、バックライトを点灯しない透明サブフレーム期間Ｔｔｋのいずれにおいても最大透過率を示す画素データが液晶パネルに書き込まれるように液晶パネルを駆動する構成が考えられる。このような構成によれば、図１９の（Ａ）に示すように、明室において当該表示された単色としての赤色に対する見た目の印象を良くすることができる。本実施形態に係る画像表示装置１ｂは、既述の背景光センサ１３を用いた特徴的構成としてこのような構成を備えている。ただし以下では、背景光の色は白色であるとみなし、本実施形態に係る画像表示装置１ｂは、センサ信号ＳＤが示す背景光の色および強度のうち強度（輝度）に基づいて単色表示が改善されるように構成されている。このため本実施形態では、背景光センサ１３として、背景光の強度のみを検出する光検出器を使用してもよい。なお、センサ信号ＳＤが示す色（背景色）をも用いて単色表示を改善する構成については、本実施形態の変形例として後述する。
【００８０】
＜２．３  表示動作＞
図２０は、本実施形態に係る画像表示装置１ｂの表示動作を説明するためのタイミングチャートおよび波形図であり、図２１は、この画像表示装置１ｂによる表示例を示す模式図である。本実施形態に係る画像表示装置１ｂは、上記第１の実施形態と同様、Ｂ／Ｌ点灯モードとＢ／Ｌ消灯モードとを備えており、図２０および図２１は、Ｂ／Ｌ点灯モードにおける画像表示装置１ｂの動作を示している。以下では、Ｂ／Ｌ点灯モードの表示動作を中心に説明し、Ｂ／Ｌ消灯モードの表示動作については上記第１の実施形態と同様であるので説明を省略する（図１０、図２１の（Ｂ）参照）。
【００８１】
画像表示装置１ｂにおける駆動用画像データ演算部３３は、外部から入力画像データＤ１を受け取るとともに背景光センサ１３からセンサ信号ＳＤを受け取り、そのセンサ信号ＳＤに基づき背景光の強度に応じて、透明表示サブフレーム期間Ｔｔ（第１から第４透明サブフレーム期間Ｔｔ１〜Ｔｔ４）のうち少なくとも１つの透明サブフレーム期間における階調（液晶の透過率）を調整することにより、背景光の利用によって単色表示が輝度が向上するように、駆動用画像データＤ２を生成する。具体的には以下のような表示動作が行われる。
【００８２】
本実施形態のＢ／Ｌ点灯モード（図５参照）では、特に透明表示サブフレーム期間Ｔｔ（第１から第４透明サブフレーム期間Ｔｔ１〜Ｔｔ４）に隣接する表示色サブフレーム期間（図２０に示す例では青サブフレーム期間Ｔｂと赤サブフレーム期間Ｔｒ）に対応する色の単色表示の場合において、光源２７が点灯せず導光板２７０が透明状態となっている期間すなわち第１から第４透明サブフレーム期間Ｔｔ１〜Ｔｔ４における階調（液晶の透過率に相当）の調整によって白色の背景光を利用することにより明るい表示が得られるように液晶パネル２４が駆動される。
【００８３】
すなわち、第５のサブフレーム期間Ｔｓ５としての青サブフレーム期間Ｔｂの光源色（青）の画素が入力画像データＤ１の表す画像（入力画像）に含まれる場合には、表示画像における青色領域の輝度を向上させるべく、第１から第４透明サブフレーム期間Ｔｔ１〜Ｔｔ４の少なくとも１つにおいて、当該青色領域の画素の階調が調整される。この場合、青色領域の画素の明度向上が優先されるように、センサ信号ＳＤが示す背景光の強度を考慮して入力画像データＤ１から駆動用画像データＤ２が駆動用画像データ演算部３３により生成され、この駆動用画像データＤ２を用いてパネル駆動回路２２により液晶パネル２４が駆動される。より詳しくは、駆動用画像データＤ２は、背景光の強度が大きいほど第１から第４透明サブフレーム期間Ｔｔ１〜Ｔｔ４の少なくとも１つにおいて当該青色領域の画素の階調が大きくなるように生成される。これにより、第１〜第４透明サブフレーム期間Ｔｔ１〜Ｔｔ４での当該青色領域の画素のトータルな階調値（液晶の透過率）すなわち当該期間Ｔｔ１〜Ｔｔ４での当該画素の階調値の積分値または平均値は、背景光の強度が大きいほど大きくなる。例えば図２０の（Ｄ）に示すように、第１から第３透明サブフレーム期間Ｔｔ１〜Ｔｔ３のそれぞれの前半（走査期間Ｔｓｃ）では、階調値０（最小透過率）を示す画素データが液晶パネル２４に書き込まれるが、第５のサブフレーム期間Ｔｓ５（青サブフレーム期間Ｔｂ）のみならず第４のサブフレーム期間Ｔｔ４のそれぞれの前半（走査期間Ｔｓｃ）において階調値２５５（最大透過率）を示す画素データが液晶パネル２４に書き込まれる。その結果、各フレーム期間Ｔｆｒにおいて、当該青色領域に対応する液晶の透過率は図２０の（Ｄ）において太い点線で示すように変化し、第４のサブフレーム期間Ｔｔ４での背景光の利用および青サブフレーム期間Ｔｂにおける液晶の透過率の増大により、表示画像における青色領域の輝度が向上する。なお、図２０の（Ｄ）に示す例において、第４のサブフレーム期間Ｔｔ４（青サブフレーム期間Ｔｂの直前の透明サブフレーム期間）での液晶の透過率を大きくしているのは、これにより青サブフレーム期間Ｔｂにおける透過率の向上によって表示輝度を増大させることができるからである。
【００８４】
また、第８のサブフレーム期間Ｔｓ８としての赤サブフレーム期間Ｔｒの光源色（赤）の画素が入力画像に含まれる場合には、表示画像における赤色領域の輝度が向上するように、第１〜第４透明サブフレーム期間Ｔｔ１〜Ｔｔ４の少なくとも１つにおいて当該赤色領域の画素の階調が調整される。この場合、赤色領域の画素の明度向上が優先されるように、センサ信号ＳＤが示す背景光の強度を考慮して入力画像データＤ１から駆動用画像データＤ２が駆動用画像データ演算部３３により生成され、この駆動用画像データＤ２を用いてパネル駆動回路２２により液晶パネル２４が駆動される。より詳しくは、駆動用画像データＤ２は、背景光の強度が大きいほど第１〜第４透明サブフレーム期間Ｔｔ１〜Ｔｔ４の少なくとも１つにおいて当該赤色領域の画素の階調が大きくなるように生成される。これにより、第１〜第４透明サブフレーム期間Ｔｔ１〜Ｔｔ４での当該赤色領域の画素のトータルな階調値（液晶の透過率）すなわち当該期間Ｔｔ１〜Ｔｔ４での当該画素の階調値の積分値または平均値は、背景光の強度が大きいほど大きくなる。例えば図２０の（Ｅ）に示すように、第８のサブフレーム期間Ｔｓ８としての赤サブフレーム期間Ｔｒの前半（走査期間Ｔｓｃ）では、階調値２５５（最大透過率）を示す画素データが液晶パネル２４に書き込まれ、次のフレーム期間Ｔｆｒにおいて当該赤サブフレーム期間Ｔｒに隣接する第１透明サブフレーム期間Ｔｔ１の前半（走査期間Ｔｓｃ）では、階調値１２８（最大透過率の１／２の透過率）を示す画素データが液晶パネル２４に書き込まれ、第３および第４透明サブフレーム期間Ｔｔ３，Ｔｔ４を含む他の期間の走査期間Ｔｓｃでは、階調値０（最小透過率）を示す画素データが液晶パネル２４に書き込まれる。なお、センサ信号ＳＤが示す背景光の強度がより大きい場合には、更に赤色領域（赤色画像）を明るく表示すべく、図２０の（Ｅ）に示す駆動に代えて、例えば第１から第４透明サブフレーム期間Ｔｔ１〜Ｔｔ４のそれぞれの前半（走査期間Ｔｓｃ）で、階調値２５５（最大透過率）を示す画素データが液晶パネル２４に書き込まれるようにしてもよい。
【００８５】
本実施形態における黒色表示および白色表示のための液晶パネル２４の駆動は、図２０の（Ｂ）および（Ｃ）に示すように、上記第１の実施形態と同様である。
【００８６】
＜２．４  効果＞
上記のような本実施形態によれば、上記第１の実施形態の効果に加えて、次のような効果が得られる。すなわち、第１から第４透明サブフレーム期間Ｔｔ１〜Ｔｔ４の少なくとも１つにおける背景光の利用および青サブフレーム期間Ｔｂにおける液晶の透過率の増大のために、センサ信号ＳＤが示す背景光の強度を考慮して、第１から第４透明サブフレーム期間Ｔｔ１〜Ｔｔ４の少なくとも１つにおいて当該青色領域の画素の階調が調整される（図２０の（Ｄ）参照）。これにより、表示画像における青色領域（青色画像）を明るく表示することができる。その結果、周囲が明るい環境下であっても、表示画像における青色領域の視認性を良好に維持することができる。
【００８７】
また、第１から第４透明サブフレーム期間Ｔｔ１〜Ｔｔ４の少なくとも１つにおける背景光の利用および赤サブフレーム期間Ｔｒにおける液晶の透過率の増大のために、センサ信号ＳＤが示す背景光の強度を考慮して、第１から第４透明サブフレーム期間Ｔｔ１〜Ｔｔ４の少なくとも１つにおいて当該赤色領域の画素の階調が調整される（図２０の（Ｅ）参照）。これにより、表示画像における赤色領域（赤色画像）を明るく表示することができる。その結果、周囲が明るい環境下であっても、表示画像における赤色領域の視認性を良好に維持することができる。
【００８８】
なお、青および赤以外の光源色（緑）の画素が入力画像に含まれる場合においても、第１から第４透明サブフレーム期間Ｔｔ１〜Ｔｔ４の少なくとも１つにおいて、センサ信号ＳＤが示す背景光の強度を考慮して当該光源色の画素の階調を調整することにより、表示画像における当該光源色と同一色の領域の輝度を向上させることができる。また本実施形態では、背景光の色は白色であるとしているので、複数の原色（本実施形態では赤、青、緑からなる３原色）に基づく任意色の画素が入力画像に含まれる場合においても、第１から第４透明サブフレーム期間Ｔｔ１〜Ｔｔ４の少なくとも１つにおいて、センサ信号ＳＤが示す背景光の強度を考慮して当該任意色の画素の階調を調整することにより、表示画像における当該任意色の領域の輝度を向上させることができる。
【００８９】
＜２．５  第１の変形例＞
上記第２の実施形態では、背景光の色は白色であるとみなされているが、背景光の色が白色でない場合であっても輝度を向上させるべき単色表示の色に近い場合には、上記第２の実施形態と同様の効果が得られる。これに対し、背景光の色が輝度を向上させるべき単色表示の色に近いものではない場合には、当該単色の表示領域において実際の表示色が本来の色度からずれて見える可能性がある。このような場合においても、上記第２の実施形態と同様、第１から第４透明サブフレーム期間Ｔｔ１〜Ｔｔ４の少なくとも１つにおいて、センサ信号ＳＤが示す背景光の強度を考慮して当該光源色の画素の階調を調整することにより、該光源色と同一色の領域の輝度を向上させることで明るい環境下での視認性の低下（明るい環境下で黒ずんで見えるという現象）を抑制することができる。しかし、背景光の色が輝度を向上させるべき単色表示の色に近いものではない場合には、実際の表示色の本来の色度からのずれを抑制すべく、背景光の色が白色または単色表示の色に近い場合とは異なる態様で液晶パネルを駆動するのがより好ましい。以下、このような構成の画像表示装置を上記第２の実施形態の第１の変形例として説明する。なお以下では、Ｂ／Ｌ点灯モードの表示動作を中心に説明し、Ｂ／Ｌ消灯モードの表示動作については上記第１の実施形態と同様であるので説明を省略する（図１０、図２１の（Ｂ）参照）。
【００９０】
本変形例に係る画像表示装置は、上記第２の実施形態と同様、図１７に示すように構成されている。以下では、本変形例に係る画像表示装置の構成要素のうち図１７に示される構成要素と同一または対応する構成要素には同一の参照符号を付すものとする。本変形例では、駆動用画像データ演算部３３は、センサ信号ＳＤが示す背景光の色（背景色）が輝度を向上させるべき単色表示の色に近いか否かを判定する（例えば単純に、背景色が白色または当該単色表示の色と同色か否かを判定する）背景色判定処理を行い、その判定結果に応じた駆動用画像データＤ２を生成する。以下、この背景色判定処理に基づく駆動の詳細を中心に本変形例の表示動作を図８および図２０等を参照しつつ説明する。本変形例では、背景色判定処理に基づき下記の駆動が行われるような駆動用画像データＤ２が生成される。
【００９１】
すなわち、センサ信号ＳＤが示す背景色が第５のサブフレーム期間Ｔｓ５としての青サブフレーム期間Ｔｂの光源色（青）に近いと判定された場合には、表示画像における青色領域の画素に関し上記第２の実施形態と同様に液晶パネル２４が駆動され（図２０の（Ｄ）参照）、センサ信号ＳＤが示す背景色が第８のサブフレーム期間Ｔｓ８としての赤サブフレーム期間Ｔｒの光源色（赤）に近いと判定された場合には、表示画像における赤色領域の画素に関し上記第２の実施形態と同様に液晶パネル２４が駆動される（図２０の（Ｅ）参照）。一方、センサ信号ＳＤが示す背景色が青サブフレーム期間Ｔｂの光源色（青）に近いものではないと判定された場合には、表示画像における青色領域の画素に関し、背景色による表示色のずれが抑制されるような液晶パネル２４の駆動、例えば図８の（Ｄ）に示されるような液晶パネル２４の駆動が行われる。また、センサ信号ＳＤが示す背景色が赤サブフレーム期間Ｔｒの光源色（赤）に近いものではないと判定された場合には、表示画像における赤色領域の画素に関し、背景色による表示色のずれが抑制されるような液晶パネル２４の駆動、例えば図８の（Ｅ）に示されるような液晶パネル２４の駆動が行われる。
【００９２】
上記のような本変形例によれば、背景光による表示色の本来の色度からのずれを抑制しつつ、センサ信号ＳＤが示す背景色が輝度を向上させるべき単色表示の色に近い場合には上記第２の実施形態と同様の効果を得ることができる。
【００９３】
＜２．６  第２の変形例＞
次に、バックライト２５における光源２７ｒ，２７ｇ，２７ｂのうちいずれか１つの光源の色である単色で画像を表示すること（単色領域と透明領域からなる画像を表示すること）を前提として、バックライト２５の光源２７が点灯せず導光板２７０が透明である透明サブフレーム期間で階調（液晶の透過率）を調整することにより単色表示を更に改善した画像表示装置を、上記第２の実施形態の第２の変形例として図３、図１７、図２２および図２３を参照しつつ説明する。
【００９４】
本変形例における駆動用画像データ演算部３３は、入力画像データＤ１に基づき入力画像が単色画像か否かを判定し、且つ入力画像が単色画像であると判定された場合に当該単色画像の色を判定する単色画像判定処理を行う。この単色画像判定処理は、上記第１の実施形態の第３の変形例における単色画像判定処理と同様、既述のステップ（ＳＴ１）〜（ＳＴ３）を含み、駆動用画像データ演算部３３は、１フレーム分の入力画像データＤ１が入力される毎に、これらのステップ（ＳＴ１）〜（ＳＴ３）を実行した後に、入力画像データＤ１から駆動用画像データＤ２を求める処理（画像データ変換処理）を行う。
【００９５】
図２２は、本変形例に係る画像表示装置の表示動作を説明するためのタイミングチャートおよび波形図であり、図２３は、本変形例に係る画像表示装置による表示例を示す模式図である。なお、本変形例に係る画像表示装置の構成のうち上記第２の実施形態に係る画像表示装置と同一または対応する部分には同一の参照符号を付すものとする（図３、図１７参照）。また、本変形例に係る画像表示装置１ｂもＢ／Ｌ点灯モードとＢ／Ｌ消灯モードとを備えており、図２２は、Ｂ／Ｌ点灯モードにおける本変形例に係る画像表示装置１ｂの動作を示している。以下ではＢ／Ｌ点灯モードの表示動作を中心に説明し、Ｂ／Ｌ消灯モードの表示動作については上記第１および第２の実施形態と同様であるので説明を省略する（図１０、図２３の（Ｂ）参照）。なお以下では、上記第２の実施形態と同様、背景光の色は白色であるとみなし、本変形例に係る画像表示装置１ｂは、センサ信号ＳＤが示す背景光の色および強度のうち強度（輝度）に基づいて単色表示が改善されるように構成されているものとする。このため本変形例では、背景光センサ１３として、背景光の強度のみを検出する光検出器を使用してもよい。また以下では、入力画像データＤ１が赤の単色画像を表す場合の表示動作について説明するが、他の光源色、すなわち青、緑、白のいずれの単色画像を表す場合の表示動作は下記の説明から明らかであるので説明を省略する。
【００９６】
図２２は、上記単色画像判定処理において入力色が赤であると判定された場合、すなわち入力画像データＤ１の表す画像が赤の単色画像である場合における画像表示装置１ｂの表示動作を示すタイミングチャートおよび波形図である。図２２の（Ｆ）に示すように本変形例のＢ／Ｌ点灯モードでは、１フレーム期間Ｔｆｒのうち、第８サブフレーム期間Ｔｓ８としての赤サブフレーム期間Ｔｒの後半において赤色光源２７ｒのみが点灯状態であり、その他の期間（第１から第７のサブフレーム期間Ｔｓ１〜Ｔｓ７等）ではバックライト２５（赤、緑、および青色光源２７ｒ，２７ｇ，２７ｂの全て）が消灯状態である。このことから、第１から第７のサブフレーム期間Ｔｓ１〜Ｔｓ７は、それぞれ、第１から第７透明サブフレーム期間Ｔｔ１〜Ｔｔ７ともいう。
【００９７】
画像表示装置１ｂにおける駆動用画像データ演算部３３は、図１７に示すように、外部からの入力画像データＤ１を受け取るとともに背景光センサ１３からセンサ信号ＳＤを受け取り、そのセンサ信号ＳＤに基づき背景光の強度に応じて、透明表示サブフレーム期間Ｔｔ（第１から第４透明サブフレーム期間Ｔｔ１〜Ｔｔ４）のうち少なくとも１つの透明サブフレーム期間における階調（液晶の透過率）を調整することにより、背景光の利用によって単色表示が輝度が向上するように、駆動用画像データＤ２を生成する。具体的には以下のような表示動作が行われる。
【００９８】
すなわち、入力画像データＤ１の表す画像が赤の単色画像である場合には、表示画像における赤色領域の輝度が向上するように、センサ信号ＳＤが示す背景光の強度に応じて第１〜第７のサブフレーム期間Ｔｓ１〜Ｔｓ７としての第１から第７透明サブフレーム期間Ｔｔ１〜Ｔｔ７で液晶の透過率が極力大きくなるように階調が調整される。この場合、赤色領域の画素の明度向上が優先されるように、センサ信号ＳＤが示す背景光の強度を考慮して入力画像データＤ１から駆動用画像データＤ２が駆動用画像データ演算部３３により生成され、この駆動用画像データＤ２を用いてパネル駆動回路２２により液晶パネル２４が駆動される。より詳しくは、駆動用画像データＤ２は、背景光の強度が大きいほど第１〜第４透明サブフレーム期間Ｔｔ１〜Ｔｔ４の少なくとも１つにおいて当該赤色領域の画素の階調が大きくなるように生成される。これにより、第１〜第４透明サブフレーム期間Ｔｔ１〜Ｔｔ４での当該赤色領域の画素のトータルな階調値（液晶の透過率）すなわち当該期間Ｔｔ１〜Ｔｔ４での当該画素の階調値の積分値または平均値は、背景光の強度が大きいほど大きくなる。例えば、図２２の（Ｅ）に示すように、第８のサブフレーム期間Ｔｓ８としての赤サブフレーム期間Ｔｒの前半（走査期間Ｔｓｃ）で階調値２５５（最大透過率）を示す画素データが液晶パネル２４に書き込まれるだけでなく、第１から第７のサブフレーム期間Ｔｓ１〜Ｔｓ７としての第１から第７透明サブフレーム期間Ｔｔ１〜Ｔｔ７のそれぞれの前半（走査期間Ｔｓｃ）で階調値２５５（最大透過率）を示す画素データが液晶パネル２４に書き込まれる。バックライト２５の光源２７ｒ，２７ｇ，２７ｂのうち赤の光源２７ｒのみが発光し背景色は白色であるため、このように液晶パネル２４を駆動しても混色は生じない。
【００９９】
本変形例では、入力画像が青または緑の単色画像であっても（単色画像判定処理により入力色が青または緑であると判定された場合であっても）、当該入力色に応じた上記と同様の表示動作が行われる。
【０１００】
上記のような本変形例によれば、入力画像が単色画像である場合に、背景光の強度に応じて、当該単色画像の色である入力色に対応する原色サブフレーム期間（図２２の例では赤サブフレーム期間Ｔｒ）における液晶の透過率が極力高くなるように第１から第７透明サブフレーム期間Ｔｔ１〜Ｔｔ７の少なくとも１つにおいて表示画像における当該入力色の領域（図２２の例では赤色領域）の階調が調整されることにより、表示画像における当該入力色の領域（図２２の例では赤色領域（赤色画像））を明るく表示することができる。例えば、背景光の強度に応じて、第１から第７透明サブフレーム期間Ｔｔ１〜Ｔｔ７において当該入力色の領域の液晶の透過率が例えば最大となるように当該入力色の領域の階調が調整される。このようにして、表示画像における当該入力色の領域（図２２の例では赤色領域）を更に明るく表示することができる。その結果、周囲が明るい環境下であっても、表示画像における当該入力色の領域（図２２の例では赤色領域）の視認性を良好に維持することができる。
【０１０１】
なお、上記第２の実施形態の第１の変形例のように、センサ信号ＳＤが示す色（背景色）をも用いた背景色判定処理に基づき駆動用画像データＤ２を生成するように本変形例を修正してもよい。このように修正すれば、背景光による表示色の本来の色度からのずれを抑制しつつ、センサ信号ＳＤが示す背景色が輝度を向上させるべき単色画像の色に近い場合には本変形例と同様の効果を得ることができる。
【０１０２】
＜３．他の変形例＞
本発明は上記各実施形態および上記変形例に限定されるものではなく、本発明の範囲を逸脱しない限りにおいてさらに種々の変形を施すことができる。
【０１０３】
上記各実施形態では、通常表示サブフレーム期間Ｔｎにおいて青サブフレーム期間Ｔｂ、緑サブフレーム期間Ｔｇ、白サブフレーム期間Ｔｗ、青サブフレーム期間Ｔｂの順に各表示色サブフレーム期間が配置されているが（図５、図８の（Ｆ）、図２０の（Ｆ）参照）、これらの配置順序は上記各実施形態における配置順序に限定されない。また上記各実施形態では、通常表示サブフレーム期間Ｔｎは、青、緑、および赤サブフレーム期間Ｔｂ，Ｔｇ，Ｔｂとから構成されるが、これに代えて、他の原色のサブフレーム期間と共通色サブフレーム期間から構成されていてもよい。
【０１０４】
上記各実施形態およびその変形例では、画像表示装置は、Ｂ／Ｌ点灯モードとＢ／Ｌ消灯モードとを備えているが（図８〜図１０等参照）、これに代えて、上述のＢ／Ｌ点灯モードでの動作のみを行うように構成されていてもよい。
【０１０５】
上記各実施形態およびその変形例では、画像表示装置における光源部としてのバックライト２５は、側面から入射されたＬＥＤ等の光源２７ｒ，２７ｇ，２７ｂからの光を主面から発する導光板２７０を備えるエッジライト型バックライトであるが（図２）、本発明において使用可能な光源部は、このような構成のバックライトの限定されない。例えば、有機ＥＬ素子（ＯＬＥＤ）等の複数の素子を２次元上に配置した構成の面状照明装置であって当該複数の素子が消灯状態のときに透明状態となる面状照明装置を光源部として使用してもよい。
【０１０６】
なお、以上において各実施形態およびその変形例に係る画像表示装置について説明してきたが、これらの実施形態およびその変形例に係る画像表示装置の特徴をその性質に反しない限り任意に組合せて、各種の変形例に係る画像表示装置を構成することもできる。
【符号の説明】
【０１０７】
１，１ｂ  …画像表示装置
１０…画像データ変換部
２０…表示部
１１…パラメータ記憶部
１３…背景光センサ
３３…駆動用画像データ演算部
２１…タイミング制御回路
２２…パネル駆動回路（光変調部駆動回路）
２３…バックライト駆動回路（光源部駆動回路）
２４…液晶パネル（光変調部）
２５…バックライト（光源部）
２６…画素
２７…光源
２７ｒ…赤色光源
２７ｇ…緑色光源
２７ｂ…青色光源
ＣｓｗＲ…赤色光源制御信号
ＣｓｗＧ…緑色光源制御信号
ＣｓｗＢ…青色光源制御信号
ＳＤ    …センサ信号
Ｔｆｒ  …フレーム期間
Ｔｔ    …透明表示サブフレーム期間
Ｔｎ    …通常表示サブフレーム期間
Ｔｔｋ  …透明サブフレーム期間（ｋ＝１，２，…）
Ｔｂ    …青サブフレーム期間
Ｔｇ    …緑サブフレーム期間
Ｔｒ    …赤サブフレーム期間
Ｔｗ    …白サブフレーム期間
【図１】
2019082549.tif 000003
【図２】
2019082549.tif 000004
【図３】
2019082549.tif 000005
【図４】
2019082549.tif 000006
【図５】
2019082549.tif 000007
【図６】
2019082549.tif 000008
【図７】
2019082549.tif 000009
【図８】
2019082549.tif 000010
【図９】
2019082549.tif 000011
【図１０】
2019082549.tif 000012
【図１１】
2019082549.tif 000013
【図１２】
2019082549.tif 000014
【図１３】
2019082549.tif 000015
【図１４】
2019082549.tif 000016
【図１５】
2019082549.tif 000017
【図１６】
2019082549.tif 000018
【図１７】
2019082549.tif 000019
【図１８】
2019082549.tif 000020
【図１９】
2019082549.tif 000021
【図２０】
2019082549.tif 000022
【図２１】
2019082549.tif 000023
【図２２】
2019082549.tif 000024
【図２３】
2019082549.tif 000025